(57)【特許請求の範囲】
【請求項１】
複数のレンズ群を含み、
前記複数のレンズ群は、物体側から順に、
正の屈折力を有する第１レンズ群と、負の屈折力を有する第２レンズ群と、正の屈折力を有する第３レンズ群と、最終レンズ群の４つのレンズ群からなり、
変倍に際し、隣り合う各レンズ群の間隔が変化し、
前記最終レンズ群は、正の屈折力を有し、
前記第１レンズ群は１つの接合レンズ成分のみからなり、
該接合レンズ成分は、１枚の負レンズと２枚の正レンズが互いに接合されて構成され、
以下の条件式（１）を満たし、
前記第３レンズ群は、正レンズと負レンズの２つの単レンズのみを有し、
前記負レンズは以下の条件式（５）を満たすことを特徴とする結像光学系。
0.05＜ΔD12／（（ΣD1＋ΣD2）×γ×ｔａｎω）＜0.19      （１）
２＜ＳＦ３＜１０    （５）
ここで、
ΔD12は|D12T-D12W|で表され、
D12Wは広角端における前記第１レンズ群と前記第２レンズ群との間隔、
D12Tは望遠端における前記第１レンズ群と前記第２レンズ群との間隔、
ΣD1は前記第１レンズ群の厚さ、
ΣD2は前記第２レンズ群の厚さ、
γは前記結像光学系の広角端から望遠端までの変倍比、
ωは最大画角、
ＳＦ３は前記第３レンズ群の負レンズのシェイピングファクターであり、シェイピングファクターは次式で定義される値であり、
ＳＦ３＝（ｒ31＋ｒ32）／（ｒ31−ｒ32）
ｒ31は前記第３レンズ群の負レンズの物体側の面の曲率半径、
ｒ32は前記第３レンズ群の負レンズの像側の面の曲率半径、
である。
【請求項２】
前記負レンズは以下の条件式（５’’）を満たすことを特徴とする請求項１に記載の結像光学系。
３＜ＳＦ３＜１０    （５’’）
ここで、
ＳＦ３は前記第３レンズ群の負レンズのシェイピングファクターであり、シェイピングファクターは次式で定義される値であり、
ＳＦ３＝（ｒ31＋ｒ32）／（ｒ31−ｒ32）
ｒ31は前記第３レンズ群の負レンズの物体側の面の曲率半径、
ｒ32は前記第３レンズ群の負レンズの像側の面の曲率半径、
である。
【請求項３】
以下の条件式（２）を満たすことを特徴とする請求項１又は２に記載の結像光学系。
-0.8＜ΔＶ2／ΔＶ1＜0.8      （２）
ここで、
ΔＶ1は|V1W-V1T|で表され、
V1Wは広角端における前記第１レンズ群の位置、
V1Tは望遠端における前記第１レンズ群の位置、
ΔＶ2は|V2W-V2T|で表され、
V2Wは広角端における前記第２レンズ群の位置、
V2Tは望遠端における前記第２レンズ群の位置、であり、
符号は、前記各レンズ群が広角端の位置に対して望遠端で物体側に位置する場合を正とする。
【請求項４】
以下の条件式（３）を満たすことを特徴とする請求項１から３のいずれか１項に記載の結像光学系。
-0.3＜ΔＶＬ／ｆｗ＜0.6    （３）
ここで、
ΔＶＬは|VLW-VLT|で表され、
VLWは広角端における前記最終レンズ群の位置、
VLTは望遠端における前記最終レンズ群の位置、
ｆｗは広角端における前記結像光学系全体の焦点距離、であり、
符号は、前記最終レンズ群が広角端の位置に対して望遠端で物体側に位置する場合を正とする。
【請求項５】
前記接合レンズ成分の接合面のうち、少なくとも１つの接合面は非球面であることを特徴とする請求項１から４のいずれか１項に記載の結像光学系。
【請求項６】
前記接合レンズ成分における２枚の正レンズは隣り合って配置され、該２枚の正レンズの接合面が非球面であることを特徴とする請求項５に記載の結像光学系。
【請求項７】
以下の条件式（４）を満たすことを特徴とする請求項６に記載の結像光学系。
０．０００５＜｜（Ｐ0−Ｐh）／Ｐ0｜＜０．３      （４）
ここで、
P0は前記接合面の光軸上でのパワー、
Phは前記接合面の光線高ｈにおける局所的なパワー、であり、
前記光線高ｈは、前記接合面の局所的なパワーと光軸上でのパワーとの差の絶対値が最大になる光線高である。
【請求項８】
前記最終レンズ群は正レンズ１枚からなり、
前記正レンズが以下の条件式（６）を満たすことを特徴とする請求項１から７のいずれか１項に記載の結像光学系。
−５＜ＳＦＬ＜０      （６）
ここで、
ＳＦＬは前記最終レンズ群の正レンズのシェイピングファクターであり、シェイピングファクターは次式で定義される値であり、
ＳＦＬ＝（ｒL1＋ｒL2）／（ｒL1−ｒL2））
ｒL1は前記最終レンズ群の正レンズの物体側の面の曲率半径、
ｒL2は前記最終レンズ群の正レンズの像側の面の曲率半径、
である。
【請求項９】
前記接合レンズ成分が、以下の条件式（７）を満たすことを特徴とする請求項１から８のいずれか１項に記載の結像光学系。
２＜ｆ1T1／ｆ1＜１５      （７）
ここで、
ｆ1は前記接合レンズ成分全体の焦点距離、
ｆ1T1は前記接合レンズ成分に含まれる２枚の正レンズのうち、物体側に位置する正レンズの焦点距離、
である。
【請求項１０】
以下の条件式（８）を満たすことを特徴とする請求項１から９のいずれか１項に記載の結像光学系。
0.60＜θgFT1＜0.80      （８）
ここで、
θgFT1は前記接合レンズ成分に含まれる２枚の正レンズのうち、物体側に位置する正レンズの部分分散比（ｎgT1−ｎFT1）／（ｎFT1−ｎCT1）、
ｎCT1、ｎFT1、ｎgT1はそれぞれ、前記物体側に位置する正レンズのＣ線、Ｆ線、ｇ線の屈折率、
である。
【請求項１１】
請求項１〜１０のいずれか１項に記載の結像光学系と電子撮像素子を含むことを特徴とする電子撮像装置。
【発明の詳細な説明】
【技術分野】
【０００１】
本発明は、結像光学系及びそれを有する電子撮像装置に関するものである。
【背景技術】
【０００２】
近年、コンパクトカメラの薄型化がますます進み、薄いカメラ筐体に収めるために光学系に対しても薄型化が求められている。ここで、コンパクトカメラでは、使用後には光学系を沈胴させて筐体内に収納する。このため、カメラ筐体が薄くなれば、それに伴い沈胴厚も薄くする必要がある。
【０００３】
光学系を沈胴させるためには、光学系の鏡枠は複数の段に分割して伸び縮みできるように構成する。この時、沈胴厚が薄くなると、分割した各鏡枠の長さも短くすることになり、沈胴させるときの段数が増えてしまう。また、光学系を長く伸ばしたときに鏡枠全体が重力で変形しやすくなるので、光学系の偏心が起こりやすくなる。そのため、鏡枠の分割する間隔は短くしつつ、分割数も少なくするために、光学系の全長を短縮する必要がある。
【０００４】
光学系を薄く構成するには、例えば特許文献１の実施例４、６、７に記載されたように、第１レンズ群を単レンズにて構成することが好ましい。しかしながら、特に、光学系全長を短縮すると、一般的に第１レンズ群のパワーが増大する。このため、軸上の色収差や倍率の色収差などの色収差が大きく発生し、画質の低下を招いてしまう。色収差の発生を抑えるためには、第１レンズ群にはレンズが最低限２枚は必要（正レンズと負レンズ）となる。この場合、第１レンズ群は、接合レンズで構成されることが多い。
【０００５】
第１レンズ群を接合レンズで構成する光学系として、例えば、特許文献２に開示された光学系が知られている。この光学系は、第１レンズ群が、物体側から順に、正レンズと、負レンズとの接合レンズからなっている。
【先行技術文献】
【特許文献】
【０００６】
【特許文献１】特開平１１−２５８５０７号公報
【特許文献２】特開２００７−７２１１７号公報
【発明の概要】
【発明が解決しようとする課題】
【０００７】
しかしながら、さらに光学系の全長を短くすると、上述したような接合レンズでは色収差が補正しきれなくなり、特に望遠側で色収差が大きく発生してしまう。また、変倍比が大きくなるほど、望遠端での光学系全長は長くなる傾向がある。このため、変倍比の大きな光学系の全長を短くすると、さらに色収差の影響が大きくなってしまう。
【０００８】
また、一般的に低分散材料の部分分散比θgFは小さく、高分散材料の部分分散比θgFは大きい。このため、Ｃ線とＦ線の２波長間で色収差が補正できても、その他の波長で残存色収差が大きくなりやすいという課題もある。これを２次スペクトルという。
【０００９】
本発明は、上記に鑑みてなされたものであって、色収差を抑えつつ、光学系全長を短くすることができる結像光学系、及びそれを有する電子撮像装置を提供することを目的とする。
【課題を解決するための手段】
【００１０】
上述した課題を解決し、目的を達成するために、本発明の結像光学系は、複数のレンズ群を含み、前記複数のレンズ群は、物体側から順に、正の屈折力を有する第１レンズ群と、負の屈折力を有する第２レンズ群と、正の屈折力を有する第３レンズ群と、最終レンズ群の４つのレンズ群からなり、変倍に際し、隣り合う各レンズ群の間隔が変化し、前記最終レンズ群は、正の屈折力を有し、前記第１レンズ群は１つの接合レンズ成分のみからなり、該接合レンズ成分は、１枚の負レンズと２枚の正レンズが互いに接合されて構成され、
以下の条件式（１）を満たし、前記第３レンズ群は、正レンズと負レンズの２つの単レンズのみを有し、前記負レンズは以下の条件式（５）を満たすことを特徴とする。
0.05＜ΔD12／（（ΣD1＋ΣD2）×γ×ｔａｎω）＜0.19      （１）
２＜ＳＦ３＜１０    （５）
ここで、
ΔD12は|D12T-D12W|で表され、
D12Wは広角端における前記１レンズ群と前記第２レンズ群との間隔、
D12Tは望遠端における前記１レンズ群と前記第２レンズ群との間隔、
ΣD1は前記第１レンズ群の厚さ、
ΣD2は前記第２レンズ群の厚さ、
γは前記結像光学系の広角端から望遠端までの変倍比、
ωは最大画角、
ＳＦ３は前記第３レンズ群の負レンズのシェイピングファクターであり、シェイピングファクターは次式で定義される値であり、
ＳＦ３＝（ｒ31＋ｒ32）／（ｒ31−ｒ32）
ｒ31は前記第３レンズ群の負レンズの物体側の面の曲率半径、
ｒ32は前記第３レンズ群の負レンズの像側の面の曲率半径、
である。
【００１１】
また、本発明の好ましい態様によれば、以下の条件式（２）を満たすことが好ましい。
-0.8＜ΔＶ2／ΔＶ1＜0.8      （２）
ここで、
ΔＶ1は|V1W-V1T|で表され、
V1Wは広角端における前記第１レンズ群の位置、
V1Tは望遠端における前記第１レンズ群の位置、
ΔＶ2は|V2W-V2T|で表され、
V2Wは広角端における前記第２レンズ群の位置、
V2Tは望遠端における前記第２レンズ群の位置、であり、
符号は、前記各レンズ群が広角端の位置に対して望遠端で物体側に位置する場合を正とする。
【００１２】
また、本発明の好ましい態様によれば、以下の条件式（３）を満たすことが好ましい。
-0.3＜ΔＶＬ／ｆｗ＜0.6    （３）
ここで、
ΔＶＬは|VLW-VLT|で表され、
VLWは広角端における前記最終レンズ群の位置、
VLTは望遠端における前記最終レンズ群の位置、
ｆｗは広角端における前記結像光学系全体の焦点距離、であり、
符号は、前記最終レンズ群が広角端の位置に対して望遠端で物体側に位置する場合を正とする。
【００１３】
また、本発明の好ましい態様によれば、前記接合レンズ成分における接合面のうち、少なくとも１つの接合面は非球面であることが好ましい。
【００１４】
また、本発明の好ましい態様によれば、前記接合レンズ成分における２枚の正レンズは隣り合って配置され、該２枚の正レンズの接合面が非球面であることが好ましい。
【００１５】
また、本発明の好ましい態様によれば、以下の条件式（４）を満たすことが好ましい。
０．０００５＜｜（Ｐ0−Ｐh）／Ｐ0｜＜０．３      （４）
ここで、
P0は前記接合面の光軸上でのパワー、
Phは前記接合面の光線高ｈにおける局所的なパワー、であり、
前記光線高ｈは、前記接合面の局所的なパワーと光軸上でのパワーとの差の絶対値が最大になる光線高である。
【００１７】
また、本発明の好ましい態様によれば、前記最終レンズ群は正レンズ１枚からなり、
該正レンズが以下の条件式（６）を満たすことが好ましい。
−５＜ＳＦＬ＜０      （６）  
ここで、
ＳＦＬは前記最終レンズ群の正レンズのシェイピングファクターであり、シェイピングファクターは次式で定義される値であり、
ＳＦＬ＝（ｒL1＋ｒL2）／（ｒL1−ｒL2））
ｒL1は前記最終レンズ群の正レンズの物体側の面の曲率半径、
ｒL2は前記最終レンズ群の正レンズの像側の面の曲率半径、
である。
【００１８】
また、本発明の好ましい態様によれば、前記接合レンズ成分が、以下の条件式（７）を満たすことが好ましい。
２＜ｆ1T1／ｆ1＜１５      （７）
ここで、
ｆ1は前記接合レンズ成分全体の焦点距離、
ｆ1T1は前記接合レンズ成分に含まれる２枚の正レンズのうち、物体側に位置する正レンズの焦点距離、
である。
【００１９】
また、本発明の好ましい態様によれば、以下の条件式（８）を満たすことが好ましい。
0.60＜θgFT1＜0.80      （８）
ここで、
θgFT1は前記接合レンズ成分に含まれる２枚の正レンズのうち、物体側に位置する正レンズの部分分散比（ｎgT1−ｎFT1）／（ｎFT1−ｎCT1）、
ｎCT1、ｎFT1、ｎgT1はそれぞれ、前記物体側に位置する正レンズのＣ線、Ｆ線、ｇ線の屈折率、
である。
【００２０】
また、本発明の電子撮像装置は、上述の結像光学系と電子撮像素子を含むことを特徴とする。
【発明の効果】
【００２１】
本発明によれば、色収差を抑えつつ、光学系全長を短くすることができる結像光学系及びそれを有する電子撮像装置を提供することという効果を奏する。
【図面の簡単な説明】
【００２２】
【図１】本発明の実施例１にかかるズームレンズの（ａ）は広角端、（ｂ）は中間、（ｃ）は望遠端における無限遠物点合焦時の光学構成を示す光軸に沿う断面図である。
【図２】実施例１にかかるズームレンズの無限遠物点合焦時における球面収差、非点収差、歪曲収差、倍率色収差を示す図であり、（a）は広角端、（b）は中間、（c）は望遠端での状態を示している。
【図３】本発明の実施例２にかかるズームレンズの（ａ）は広角端、（ｂ）は中間、（ｃ）は望遠端における無限遠物点合焦時の光学構成を示す光軸に沿う断面図である。
【図４】実施例２にかかるズームレンズの無限遠物点合焦時における球面収差、非点収差、歪曲収差、倍率色収差を示す図であり、（a）は広角端、（b）は中間、（c）は望遠端での状態を示している。
【図５】本発明の実施例３にかかるズームレンズの（ａ）は広角端、（ｂ）は中間、（ｃ）は望遠端における無限遠物点合焦時の光学構成を示す光軸に沿う断面図である。
【図６】実施例３にかかるズームレンズの無限遠物点合焦時における球面収差、非点収差、歪曲収差、倍率色収差を示す図であり、（a）は広角端、（b）は中間、（c）は望遠端での状態を示している。
【図７】本発明の実施例４にかかるズームレンズの（ａ）は広角端、（ｂ）は中間、（ｃ）は望遠端における無限遠物点合焦時の光学構成を示す光軸に沿う断面図である。
【図８】実施例４にかかるズームレンズの無限遠物点合焦時における球面収差、非点収差、歪曲収差、倍率色収差を示す図であり、（a）は広角端、（b）は中間、（c）は望遠端での状態を示している。
【図９】本発明の実施例５にかかるズームレンズの（ａ）は広角端、（ｂ）は中間、（ｃ）は望遠端における無限遠物点合焦時の光学構成を示す光軸に沿う断面図である。
【図１０】実施例５にかかるズームレンズの無限遠物点合焦時における球面収差、非点収差、歪曲収差、倍率色収差を示す図であり、（a）は広角端、（b）は中間、（c）は望遠端での状態を示している。
【図１１】本発明の実施例６にかかるズームレンズの（ａ）は広角端、（ｂ）は中間、（ｃ）は望遠端における無限遠物点合焦時の光学構成を示す光軸に沿う断面図である。
【図１２】実施例６にかかるズームレンズの無限遠物点合焦時における球面収差、非点収差、歪曲収差、倍率色収差を示す図であり、（a）は広角端、（b）は中間、（c）は望遠端での状態を示している。
【図１３】本発明の実施例７にかかるズームレンズの（ａ）は広角端、（ｂ）は中間、（ｃ）は望遠端における無限遠物点合焦時の光学構成を示す光軸に沿う断面図である。
【図１４】実施例７にかかるズームレンズの無限遠物点合焦時における球面収差、非点収差、歪曲収差、倍率色収差を示す図であり、（a）は広角端、（b）は中間、（c）は望遠端での状態を示している。
【図１５】本発明の実施例８にかかるズームレンズの（ａ）は広角端、（ｂ）は中間、（ｃ）は望遠端における無限遠物点合焦時の光学構成を示す光軸に沿う断面図である。
【図１６】実施例８にかかるズームレンズの無限遠物点合焦時における球面収差、非点収差、歪曲収差、倍率色収差を示す図であり、（a）は広角端、（b）は中間、（c）は望遠端での状態を示している。
【図１７】本発明の実施例９にかかるズームレンズの（ａ）は広角端、（ｂ）は中間、（ｃ）は望遠端における無限遠物点合焦時の光学構成を示す光軸に沿う断面図である。
【図１８】実施例９にかかるズームレンズの無限遠物点合焦時における球面収差、非点収差、歪曲収差、倍率色収差を示す図であり、（a）は広角端、（b）は中間、（c）は望遠端での状態を示している。
【図１９】本発明によるズーム光学系を組み込んだデジタルカメラ４０の外観を示す前方斜視図である。
【図２０】デジタルカメラ４０の後方斜視図である。
【図２１】デジタルカメラ４０の光学構成を示す断面図である。
【図２２】本発明のズーム光学系が対物光学系として内蔵された情報処理装置の一例であるパソコン３００のカバーを開いた状態の前方斜視図である。
【図２３】パソコン３００の撮影光学系３０３の断面図である。
【図２４】パソコン３００の側面図である。
【図２５】本発明のズーム光学系が撮影光学系として内蔵された情報処理装置の一例である携帯電話を示す図であり、（a）は携帯電話４００の正面図、（b）は側面図、（c）は撮影光学系４０５の断面図である。
【発明を実施するための形態】
【００２３】
以下に、本発明にかかる結像光学系をズーム光学系に適用した実施例を図面に基づいて詳細に説明する。なお、この実施例によりこの発明が限定されるものではない。実施例の説明に先立ち、本実施形態の結像光学系の作用効果について説明する。なお、以下の説明において、レンズ群の位置や間隔は、光軸方向におけるものである。また、レンズ群の位置については、例えば、像面を基準にして特定することができる。
【００２４】
本実施形態の結像光学系は、正の屈折力を有する第１レンズ群と、負の屈折力を有する第２レンズ群と、正の屈折力を有する第３レンズ群と、最終レンズ群を含み、第１レンズ群は１つの接合レンズ成分のみからなり、接合レンズ成分は、１枚の負レンズと２枚の正レンズが互いに接合されて構成され、以下の条件式（１）を満たすことを特徴とする。
0.05＜ΔD12／（（ΣD1＋ΣD2）×γ×ｔａｎω）＜0.19      （１）
ここで、
ΔD12は|D12T-D12W|で表され、
D12Wは広角端における第１レンズ群と第２レンズ群との間隔、
D12Tは望遠端における第１レンズ群と第２レンズ群との間隔、
ΣD1は第１レンズ群の厚さ、
ΣD2は第２レンズ群の厚さ、
γは結像光学系の広角端から望遠端までの変倍比、
ωは最大画角、
である。
【００２５】
第１レンズ群は、特に望遠側で色収差の補正への寄与が大きい。このため、良好に色収差を補正する目的で接合レンズを配置すると、第１レンズ群の厚さが厚くなりやすい。そこで、本実施形態では、第１レンズ群は１つの接合レンズ成分のみからなるようにしている。そして、この接合レンズ成分では、１枚の負レンズと２枚の正レンズを互いに接合している。このように、本実施形態の結像光学では、第１レンズ群は、色収差を補正しつつ、レンズ群の全長を薄くするために必要な最小の構成となっている。
【００２６】
また、第２レンズ群においては、一般に第２レンズ群内の負レンズと正レンズの間隔が広い方が、非点収差やコマ収差を良好に補正できる。しかしながら、第２レンズ群内の負レンズと正レンズの間隔を広げると、第２レンズ群の厚さが厚くなり、光学系全長および沈胴厚を短く出来なくなる。
【００２７】
また、変倍比が大きい光学系では、一般には変倍を担うレンズ群は広角端から望遠端まで大きく移動するので、光学系全長が長くなりやすい。また、最大画角ωが大きい光学系、すなわち広角での画角が広い光学系では、光学系全体の焦点距離が短くなる。このような光学系では、第１レンズ群のパワーが強くなる。そのため、第１レンズ群中の正レンズの曲率が大きくなる。ここで、この正レンズのフチ肉が薄くなりすぎないようにするためには、中肉厚が厚くなってしまう。さらに、正レンズの曲率が大きくなりすぎないように第１レンズ群内に複数の正レンズを配置すると、第１レンズ群の厚さが厚くなってしまう。そのため、光学系全長および沈胴厚を短く出来なくなる。
【００２８】
本実施形態の結像光学系は、条件式（１）を満たすことを特徴としている。そのため、ΣＤ1やΣＤ2に対して、変動量ΔＤ12が小さい。また、変倍比が大きくても変動量ΔＤ12が小さく、最大画角ωが大きくても変動量ΔＤ12が小さくなっている。これにより、色収差を良好に抑えつつ、変動量ΔＤ12が小さく、光学系全長および沈胴厚が短い光学系を実現している。
【００２９】
条件式（１）の上限値を上回ると、変動量ΔＤ12が大きくなる。この場合、望遠端での全長を短くできなくなる。あるいは、ΣＤ1＋ΣＤ2が小さくなる。前述のように、第１レンズ群は、色収差を補正しつつ第１レンズ群を薄くするために必要な最小の構成になっている。すなわち、ΣＤ1を小さくすることはできないため、ΣＤ2が小さくなることになる。すると、第２レンズ群内のレンズの間隔が狭くなるので、非点収差やコマ収差を良好に補正できなくなってしまう。このような問題は、変動量ΔＤ12を小さく抑えている場合に顕著になる。
【００３０】
条件式（１）の下限値を下回ると、変動量ΔＤ12が小さくなりすぎる。このため、変倍比が小さくなってしまう。また、ΣＤ1＋ΣＤ2が大きくなる。このため、沈胴厚を短くできなくなってしまう。
【００３１】
また、条件式（１）に代えて、条件式（１’）を満たすとさらに好ましい。
0.1＜ΔD12／（（ΣD1＋ΣD2）×γ×ｔａｎω）＜0.18    （１’）
条件式（１’）を満たすと、さらに非点収差やコマ収差を良好に補正しつつ、沈胴厚を小さくすることができる。
【００３２】
以上のように、条件式（１）あるいは条件式（１’）を満たすと、色収差に加えて非点収差やコマ収差を悪化させることなく、光学系全長および沈胴厚を短くできる。その結果、高画質な画像を得られる薄型なカメラを得ることができる。
【００３３】
また、本実施形態の結像光学系は、以下の条件式（２）を満たすことが好ましい。
-0.8＜ΔＶ2／ΔＶ1＜0.8      （２）
ここで、
ΔＶ1は|V1W-V1T|で表され、
V1Wは広角端における第１レンズ群の位置、
V1Tは望遠端における第１レンズ群の位置、
ΔＶ2は|V2W-V2T|で表され、
V2Wは広角端における第２レンズ群の位置、
V2Tは望遠端における第２レンズ群の位置、であり、
符号は、各レンズ群が広角端の位置に対して望遠端で物体側に位置する場合を正とする。
【００３４】
条件式（２）を満足すると、ΔＶ2がΔＶ1に比べ小さくなる。このとき、第２レンズ群位置は広角端と望遠端であまり変化しない。このため、条件式（２）を満足すると、広角端での光学系全長を短することができる。
【００３５】
条件式（２）の上限値を上回ると、望遠端での第１レンズ群と第２レンズ群の位置は、ともに広角端での位置より物体側になる。また、第２レンズ群が物体側へ移動する量が大きくなる。この場合、第１レンズ群と第２レンズ群との間隔が、広角端と望遠端とであまり変わらなくなるので、変倍比を大きくすることができなくなる。
【００３６】
条件式（２）の下限値を下回ると、望遠端での第２レンズ群の位置は、広角端での位置より像側になる、また、第２レンズ群が像側へ移動する量が大きくなる。この場合、第２レンズ群の負のパワーが小さくなるため、第２レンズ群における軸外光線の光線高が高くなる。そのため、コマ収差など軸外の収差が大きくなってしまう。
【００３７】
また、条件式（２）に代えて、条件式（２’）を満たすとさらに好ましい。
-0.5＜ΔＶ2／ΔＶ1＜0.5      （２’）
条件式（２’）を満たすと、変倍比を大きくし、コマ収差や軸外の収差の発生を抑えつつ、広角端での光学系全長をさらに短くすることができる。
【００３８】
以上のように、条件式（２）あるいは条件式（２’）を満たすと、コマ収差など軸外の収差を小さく抑えながら変倍比を大きくすることに加えて、広角端での光学系全長を短くできる。その結果、高画質な画像を得られる薄型なカメラを得ることができる。
【００３９】
また、本実施形態の結像光学系は、以下の条件式（３）を満たすことが好ましい。
-0.3＜ΔＶＬ／ｆｗ＜0.6    （３）
ここで、
ΔＶＬは|V2W-V2T|で表され、
VLWは広角端における最終レンズ群の位置、
VLTは望遠端における最終レンズ群の位置、
ｆｗは広角端における結像光学系全体の焦点距離、であり、
符号は、最終レンズ群が広角端の位置に対して望遠端で物体側に位置する場合を正とする。
【００４０】
条件式（３）を満たすと、最終レンズ群の位置が広角端と望遠端であまり変化しないことになる。すると、広角端と望遠端での像面湾曲の変動も小さくなる。これにより、変倍による像面湾曲の変動を小さく抑えられる。この結果、広角端でも望遠端でも像面湾曲の影響が小さく、画面全体でピントの合った高品質な画像を得られる。
【００４１】
条件式（３）の上限値を上回ると、広角端に対して望遠端での最終レンズ群の位置が物体側に大きく移動するので、像面湾曲の変動が大きくなる。条件式（３）の下限値を下回ると、広角端に対して望遠端での最終レンズ群の位置が像側に大きく移動し、像面湾曲の変動が大きくなる。
【００４２】
また、最終レンズ群よりも像側には、赤外カットフィルタやローパスフィルタ、撮像素子等の素子が配置されている。そのため、条件式（３）の下限値を下回ると、望遠端において、最終レンズ群とこれらの素子との間隔が狭くなる、あるいはこれらの素子を配置する空間を確保できなくなってしまうという問題が生じる。特に、最終レンズ群をフォーカス群とする場合には、合焦動作中に最終レンズ群を移動させる空間を確保できなくなるので、最終レンズ群で合焦することができなくなる場合もある。
【００４３】
また、条件式（３）に代えて、条件式（３’）を満たすとさらに好ましい。
-0.2＜ΔＶＬ／ｆｗ＜0.4    （３’）
条件式（３’）を満たすと、さらに広角端でも望遠端でも像面湾曲の影響を抑えることができる。
【００４４】
以上のように、条件式（３）あるいは条件式（３’）を満たすと、変倍に伴う像面湾曲の変動を小さく抑え、広角端でも望遠端でも高画質な画像を得られる薄型なカメラを得ることができる。
【００４５】
また、本実施形態の結像光学系では、接合レンズ成分における接合面のうち、少なくとも１つの接合面は非球面であることが好ましい。
【００４６】
像高の高い位置に結像する軸外光束は、第１レンズ群に入射する際、光線高が高い位置（レンズ面上の光軸から離れた位置）に入射する。そのため、接合レンズ成分の接合面を非球面とすると、軸外の収差、特に軸外の色収差である倍率の色収差を良好に補正することができる。したがって、軸外の収差、特に倍率の色収差を良好に補正して、画像周辺でも高画質な画像を得られる薄型なカメラを得ることができる。
【００４７】
また、本実施形態の結像光学系では、接合レンズ成分における２枚の正レンズは隣り合って配置され、２枚の正レンズの接合面が非球面であることが好ましい。
【００４８】
２枚の正レンズを隣り合わせて配置することで、２枚の正レンズのアッベ数の差により色収差を補正することができる。さらに、接合面が非球面であると、特に軸外の色収差、つまり倍率の色収差を良好に補正することができる。したがって、倍率の色収差を良好に補正して、画像周辺でも高画質な画像を得られる薄型なカメラを得ることができる。
【００４９】
また、本実施形態の結像光学系は、以下の条件式（４）を満たすことが好ましい。
０．０００５＜｜（Ｐ0−Ｐh）／Ｐ0｜＜０．３      （４）
ここで、
P0は接合面の光軸上でのパワー、
Phは接合面の光線高ｈにおける局所的なパワー、であり、
光線高ｈは、接合面の局所的なパワーと光軸上でのパワーとの差の絶対値が最大になる光線高である。
【００５０】
第１レンズ群は、変倍時の光軸方向への移動量が比較的大きい。また、第１レンズ群に入射する各像高の光束の状態（入射角や光束径など）も、変倍にともない大きく変化する。そのため、第１レンズ群の接合面の形状が、有効径内で局所的なパワーが極端に変化するような非球面形状である場合、広角端から望遠端に至るまでに収差も大きく変動してしまう。このため、広角端と望遠端いずれでも収差を良好に補正することが困難になる。
【００５１】
条件式（４）を満たすと、接合面は、接合面の局所的なパワーが有効径内で極端に変化しない形状となる。そのため、変倍による収差の変動を抑え、広角端と望遠端いずれでも収差を良好に補正することができる。
【００５２】
条件式（４）の上限値を上回ると、接合面の光軸上でのパワーと光線高ｈでの局所的なパワーの差が大きくなりすぎてしまうので、変倍に伴う収差の変動が大きくなってしまう。条件式（４）の下限値を下回ると、光軸上でのパワーとの差が最大になる光線高ｈにおいても、光軸上でのパワーと局所的なパワーとの差が小さくなりすぎてしまう。このため、非球面による軸外の収差、特に倍率の色収差を補正できなくなってしまう。
【００５３】
また、条件式（４）に代えて条件式（４’）を満たすとさらに好ましい。
０．００１＜｜（Ｐ0−Ｐh）／Ｐ0｜＜０．２      （４’）
条件式（４’）を満たすと、さらに広角端でも望遠端でも良好に収差を補正することができる。
【００５４】
以上のように、条件式（４）あるいは条件式（４’）を満たすと、軸外の収差の発生を抑えつつ、変倍に伴う収差の変動を小さく抑えることができ、広角端でも望遠端でも高画質な画像を得られる薄型なカメラを得ることができる。
【００５５】
また、本実施形態の結像光学系では、第３レンズ群は、正成分のレンズと負成分のレンズの２成分のみを有し、負成分のレンズは条件式（５）を満たすことが好ましい。
２＜ＳＦ３＜１０    （５）
ここで、
ＳＦ３は第３レンズ群の負成分のレンズのシェイピングファクターであり、シェイピングファクターは次式で定義される値であり、
ＳＦ３＝（ｒ31＋ｒ32）／（ｒ31−ｒ32）
ｒ31は第３レンズ群の負成分のレンズの物体側の面の曲率半径、
ｒ32は第３レンズ群の負成分のレンズの像側の面の曲率半径、
である。
なお、正成分のレンズと負成分のレンズの各々を単レンズとし、正レンズと負レンズの２つの単レンズのみで、第３レンズ群を構成することがより好ましい。
【００５６】
条件式（５）を満たすと、負成分のレンズの像側の面の負パワーが大きくなる。すると、負成分のレンズの主点は像側へ寄り、第３レンズ群の焦点距離を変えずに第３レンズ群の正成分のレンズと負成分のレンズとを近づけることができる。このように、第３レンズ群の厚さを薄くすることができることから、光学系の全長も短くできる。また、同時に第３レンズ群の主点が物体側へ寄るので、第２レンズ群の主点との間隔が短くなる。これにより、さらに光学系全長を短くできる。
【００５７】
条件式（５）の上限値を上回ると、負成分のレンズの像側の面の負パワーが強くなりすぎてしまう。この場合、負成分のレンズの像側の面で発生する非点収差や歪曲収差など諸収差の変動が大きくなってしまうので、収差補正上好ましくない。条件式（５）の下限値を下回ると、第３レンズ群の正成分のレンズと負成分のレンズとの間隔が広がってしまう。この場合、第３レンズ群の厚さが厚くなってしまうため、光学系全長も長くなってしまう。
【００５８】
また、条件式（５）に代えて、条件式（５’）を満たすとさらに好ましい。
３＜ＳＦ３＜７      （５’）
条件式（５’）を満たすと、さらに第３レンズ群の厚さを薄くでき、またさらに光学系全長を短くすることができる。
また、条件式（５）に代えて、（５’’）を満たすようにしても良い。
３＜ＳＦ３＜１０      （５’’）
【００５９】
以上のように、条件式（５）あるいは条件式（５’）を満たすと、良好に収差の変動を抑えながら、第３レンズ群の厚さ、光学系全長を短くでき、高画質な画像を得られる薄型なカメラを得ることができる。
【００６０】
また、本実施形態の結像光学系は、最終レンズ群は正レンズ１枚からなり、正レンズが条件式（６）を満たすことが好ましい。
−５＜ＳＦＬ＜０      （６）
ここで、
ＳＦＬは最終レンズ群の正レンズのシェイピングファクターであり、シェイピングファクターは次式で定義される値であり、
ＳＦＬ＝（ｒL1＋ｒL2）／（ｒL1−ｒL2））
ｒL1は最終レンズ群の正レンズの物体側の面の曲率半径、
ｒL2は最終レンズ群の正レンズの像側の面の曲率半径、
である。
【００６１】
条件式（６）を満足すると、正レンズの物体側の正パワーが大きくなるため、正レンズの主点は物体側へ寄る。すると、最終レンズ群の主点と、最終レンズ群より物体側の隣り合うレンズ群の主点との間隔が短くなるので、光学系の全長を短くできる。
【００６２】
条件式（６）の上限値を上回ると、正レンズの物体側の面の正パワーが強くなりすぎて、非点収差やコマ収差など諸収差が大きく発生してしまう。条件式（６）の下限値を下回ると、正レンズの主点が像側へ寄るので、最終レンズ群より物体側の隣り合うレンズ群の主点との間隔が長くなる。その結果、光学系の全長が長くなってしまう。
【００６３】
また、条件式（６）に代えて、条件式（６’）を満たすとさらに好ましい。
−３＜ＳＦＬ＜−１      （６’）
条件式（６’）を満たすと、さらに光学系全長を短くすることができる。
【００６４】
以上のように、条件式（６）あるいは条件式（６’）を満たすと、収差を良好に抑えながら光学系全長を短くでき、高画質な画像を得られる薄型なカメラを得ることができる。
【００６５】
また、本実施形態の結像光学系は、接合レンズ成分が、条件式（７）を満たすことが好ましい。
２＜ｆ1T1／ｆ1＜１５      （７）
ここで、
ｆ1は接合レンズ成分全体の焦点距離、
ｆ1T1は接合レンズ成分に含まれる２枚の正レンズのうち、物体側に位置する正レンズの焦点距離、
である。
【００６６】
本実施形態の結像光学系では、第１レンズ群は接合レンズ成分のみからなる。このため、第１レンズ群内だけで１次の色収差を完全には補正することができない。とはいえ、１次の色収差が多く存在していると、変倍にともなう色収差の変動が抑えられなくなる。そこで、条件式（７）を満たす程度に物体側の正レンズのパワーを弱くすることで、１次の色収差を極力補正すると共に、２次スペクトルの補正も行って、両収差の補正を両立させることができる。
【００６７】
条件式（７）を満たすと、接合レンズ成分の焦点距離に対し、物体側の正レンズの焦点距離が長くなる。すなわち、物体側の正レンズのパワーが弱くなるので、１次の色収差が良好に補正できる。なお、物体側の正レンズのパワーを強くすると、２次スペクトルは補正しやすくなるが、１次の色収差が補正しきれなくなる。
【００６８】
条件式（７）の上限値を上回ると、物体側の正レンズのパワーが弱くなりすぎるので、２次スペクトルを良好に補正できなくなる。条件式（７）の下限値を下回ると、物体側の正レンズのパワーが強くなりすぎるので、１次の色収差を第１レンズ群内で小さく抑えることができなくなる。
【００６９】
本実施形態の結像光学系は、条件式（７’）を満たすとさらに好ましい。
３＜ｆ1T1／ｆ1＜１０      （７’）
条件式（７’）を満たすと、さらに２次スペクトルおよび１次の色収差を良好に補正できる。
【００７０】
以上のように、条件式（７）あるいは条件式（７’）を満たすと、広角端でも望遠端でも１次の色収差を良好に抑えつつ、２次スペクトルの発生も抑えることができる。その結果、高画質な画像を得られる薄型なカメラを得ることができる。
【００７１】
また、本実施形態の結像光学系は、以下の条件式（８）を満たすことが好ましい。
0.60＜θgFT1＜0.80      （８）
ここで、
θgFT1は接合レンズ成分に含まれる２枚の正レンズのうち、物体側に位置する正レンズの部分分散比（ｎgT1−ｎFT1）／（ｎFT1−ｎCT1）、
ｎCT1、ｎFT1、ｎgT1はそれぞれ、物体側に位置する正レンズのＣ線、Ｆ線、ｇ線の屈折率、
である。
【００７２】
一般的に、色収差の補正では、負レンズには高分散材料を用いる。ここで、高分散材料の部分分散比θgFは大きいため、負レンズの部分分散比θgFも大きいことになる。そのため、Ｃ線とＦ線の２波長間で色収差が補正できても、その他の波長で残存色収差が大きくなりやすいことから、２次スペクトルが大きく発生してしまう。したがって、第１レンズ群においても、２次スペクトルの発生が問題となる。
【００７３】
条件式（８）を満たすと、物体側に位置する正レンズは、部分分散比θgF1Tが大きいものとなる。すると、接合レンズ成分（第１レンズ群内）における負レンズと正レンズとの合成の部分分散比θgFは、負レンズの部分分散比θgFよりも実質的に低くなる。そのため、２次スペクトルの発生を抑えることができる。
【００７４】
条件式（８）の上限値を上回ると、合成の部分分散比θgFが低くなりすぎる。そのため、第１レンズ群内の像側の正レンズの部分分散比との差が小さくなってしまい、短波長での色収差を良好に補正できなくなってしまう。条件式（８）の下限値を下回ると、合成の部分分散比θgFがあまり低くならないので、２次スペクトルの発生を抑えられなくなってしまう。
【００７５】
また、条件式（８）に代えて、条件式（８’）を満たすとさらに好ましい。
0.62＜θgFT1＜0.75      （８’）
条件式（８’）を満たすと、短波長での色収差と２次スペクトルの発生をさらに抑えることができる。
【００７６】
以上のように、条件式（８）を満たすと、２次スペクトルの発生を良好に抑えながら、短波長での色収差も良好に補正することができ、高画質な画像を得られる薄型なカメラを得ることができる。
【００７７】
また、本実施形態の電子撮像装置は、上述の結像光学系と電子撮像素子を含むことを特徴とする。上述した結像光学系は、色収差などを悪化させることなく、光学系全長および沈胴厚を短くすることが可能である。そのため、電子撮像装置にこのような結像光学系を用いると、高画質な画像を得られつつ薄型化された電子撮像装置を得ることができる。
【００７８】
ところで、広い画角に亘ってコマ収差や非点収差を補正すると、広角側にて強い樽型の歪曲収差が発生する。逆に、樽型の歪曲収差を補正すると画角の大きな部分でのコマ収差や非点収差が悪化する。
【００７９】
そこで、以下樽型歪曲収差の発生を積極的に利用して、より広画角を実現する方法について述べる。この方法を用いると、これまで述べてきた各条件式を満足しやすくなる。
【００８０】
まず、ここで無限遠物体を歪曲収差がない光学系で結像したとする。この場合、結像した像に歪曲がないので、
ｆ＝ｙ／ｔａｎω  …（１５）
が成立する。
ここで、
ｙは像点の光軸からの高さ、
ｆは結像系の焦点距離、
ωは撮像面上の中心からｙの位置に結ぶ像点に対応する物点方向の光軸に対する角度である。
【００８１】
一方、光学系に樽型の歪曲収差がある場合は、
ｆ＞ｙ／ｔａｎω  …（１６）
となる。つまり、ｆとｙとを一定の値とするならば、ωは大きな値となる。
【００８２】
そこで、電子撮像装置には、特に広角端近傍の焦点距離において、意図的に大きな樽型の歪曲収差を有した光学系を用いるのが良い。この場合、歪曲収差を補正しなくて済む分だけ、光学系の広画角化が達成できる。
【００８３】
ただし、物体の像は、樽型の歪曲収差を有した状態で電子撮像素子上に結像する。そこで、電子撮像装置では、電子撮像素子で得られた画像データを、画像処理で加工するようにしている。この加工では、樽型の歪曲収差を補正するように、画像データ（画像の形状）を変化させる。
【００８４】
このようにすれば、最終的に得られた画像データは、物体とほぼ相似の形状を持つ画像データとなる。よって、この画像データに基づいて、物体の画像をＣＲＴやプリンターに出力すればよい。
【００８５】
以下の実施例における歪曲収差図では、広角端での像高が中間位置や望遠端での像高よりも小さくなっている。このような場合、上記の画像処理を行うことで歪曲収差が補正され、中間位置や望遠端と同じ像高の被写体像を得ることができる。また、以下の実施例の数値データと収差図では、広角端における像高が数値データと収差図とで異なっている。これは、収差図の像高が上記の画像処理を行う前の像高（光学系によって形成される像高）を表しているのに対して、数値データの像高は上記の画像処理を行った後の像高を表しているからである。
【実施例】
【００８６】
以下に、本発明にかかる結像光学系及び電子撮像装置の実施例を図面に基づいて詳細に説明する。なお、この実施例によりこの発明が限定されるものではない。
【００８７】
次に、本発明の実施例１にかかるズームレンズ（結像光学系）について説明する。図１は本発明の実施例１にかかるズームレンズの無限遠物点合焦時の光学構成を示す光軸に沿う断面図であり、（ａ）は広角端、（ｂ）は中間焦点距離状態、（ｃ）は望遠端での断面図である。
【００８８】
図２は実施例１にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。また、ＦＩＹは像高を示している。なお、収差図における記号は、後述の実施例においても共通である。
【００８９】
実施例１のズームレンズは、図１に示すように、物体側より順に、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４とを有している。なお、以下全ての実施例において、レンズ断面図中、ＬＰＦはローパスフィルター、ＣＧはカバーガラス、Ｉは電子撮像素子の撮像面を示している。
【００９０】
第１レンズ群Ｇ１は、物体側に凸面を向けた負メニスカスレンズＬ１と物体側に凸面を向けた正メニスカスレンズＬ２と物体側に凸面を向けた正メニスカスレンズＬ３との接合レンズで構成されており、全体で正の屈折力を有している。
【００９１】
第２レンズ群Ｇ２は、物体側に凸面を向けた負メニスカスレンズＬ４と、両凹負レンズＬ５と、物体側に凸面を向けた正メニスカスレンズＬ６と、で構成されており、全体で負の屈折力を有している。
【００９２】
第３レンズ群Ｇ３は、正両凸レンズＬ７と、物体側に凸面を向けた負メニスカスレンズＬ８と、で構成されており、全体で正の屈折力を有している。
【００９３】
第４レンズ群Ｇ４は、物体側に凸面を向けた正メニスカスレンズＬ９で構成されており、全体で正の屈折力を有している。
【００９４】
広角端から望遠端へと変倍する際には、第１レンズ群Ｇ１は物体側へ移動し、第２レンズ群Ｇ２は物体側へ移動した後、像側へ移動し、第３レンズ群は物体側へ移動し、第４レンズ群Ｇ４は物体側へ移動した後像側へ移動する。
【００９５】
非球面は、第１レンズ群Ｇ１中の正メニスカスレンズＬ３の両面、第２レンズ群Ｇ２中の両凹負レンズＬ５の両面と、第３レンズ群Ｇ３中の両凸正レンズＬ７の両面と、負メニスカスレンズＬ８の像側の面と、第４レンズ群Ｇ４中の正メニスカスレンズＬ９の物体側の面と、の８面に設けられている。
【００９６】
次に、本発明の実施例２にかかるズームレンズ（結像光学系）について説明する。図３は本発明の実施例２にかかるズームレンズの無限遠物点合焦時の光学構成を示す光軸に沿う断面図であり、（ａ）は広角端、（ｂ）は中間焦点距離状態、（ｃ）は望遠端での断面図である。
【００９７】
図４は実施例２にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【００９８】
実施例２のズームレンズは、図３に示すように、物体側より順に、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４とを有している。
【００９９】
第１レンズ群Ｇ１は、物体側に凸面を向けた負メニスカスレンズＬ１と物体側に凸面を向けた正メニスカスレンズＬ２と物体側に凸面を向けた正メニスカスレンズＬ３との接合レンズで構成されており、全体で正の屈折力を有している。
【０１００】
第２レンズ群Ｇ２は、物体側に凸面を向けた負メニスカスレンズＬ４と、両凹負レンズＬ５と、物体側に凸面を向けた正メニスカスレンズＬ６と、で構成されており、全体で負の屈折力を有している。
【０１０１】
第３レンズ群Ｇ３は、両凸正レンズＬ７と、物体側に凸面を向けた負メニスカスレンズＬ８と、で構成されており、全体で正の屈折力を有している。
【０１０２】
第４レンズ群Ｇ４は、物体側に凸面を向けた正メニスカスレンズＬ９で構成されており、全体で正の屈折力を有している。
【０１０３】
広角端から望遠端へと変倍する際には、第１レンズ群Ｇ１は物体側へ移動し、第２レンズ群Ｇ２は像側へ移動し、第３レンズ群Ｇ３は物体側へ移動し、第４レンズ群は物体側へ移動した後、像側へ移動する。
【０１０４】
非球面は、第１レンズ群Ｇ１中の正メニスカスレンズＬ３の両面、第２レンズ群Ｇ２中の両凹負レンズＬ５の両面と、第３レンズ群Ｇ３中の両凸正レンズＬ７の両面と、負メニスカスレンズＬ８の像側の面と、第４レンズ群Ｇ４中の正メニスカスレンズＬ９の物体側の面と、の８面に設けられている。
【０１０５】
次に、本発明の実施例３にかかるズームレンズ（結像光学系）について説明する。図５は本発明の実施例３にかかるズームレンズの無限遠物点合焦時の光学構成を示す光軸に沿う断面図であり、（ａ）は広角端、（ｂ）は中間焦点距離状態、（ｃ）は望遠端での断面図である。
【０１０６】
図６は実施例３にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【０１０７】
実施例３のズームレンズは、図５に示すように、物体側より順に、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４とを有している。
【０１０８】
第１レンズ群Ｇ１は、物体側に凸面を向けた負メニスカスレンズＬ１と物体側に凸面を向けた正メニスカスレンズＬ２と物体側に凸面を向けた正メニスカスレンズＬ３との接合レンズで構成されており、全体で正の屈折力を有している。
【０１０９】
第２レンズ群Ｇ２は、物体側に凸面を向けた負メニスカスレンズＬ４と、両凹負レンズＬ５と、物体側に凸面を向けた正メニスカスレンズＬ６と、で構成されており、全体で負の屈折力を有している。
【０１１０】
第３レンズ群Ｇ３は、両凸正レンズＬ７と、物体側に凸面を向けた負メニスカスレンズＬ８と、で構成されており、全体で正の屈折力を有している。
【０１１１】
第４レンズ群Ｇ４は、物体側に凸面を向けた正メニスカスレンズＬ９で構成されており、全体で正の屈折力を有している。
【０１１２】
広角端から望遠端へと変倍する際には、第１レンズ群Ｇ１は物体側へ移動し、第２レンズ群Ｇ２は物体側へ移動した後、像側へ移動し、第３レンズ群Ｇ３は物体側へ移動し、第４レンズ群は物体側へ移動した後、像側へ移動する。
【０１１３】
非球面は、第１レンズ群Ｇ１中の正メニスカスレンズＬ３の両面、第２レンズ群Ｇ２中の両凹負レンズＬ５の両面と、第３レンズ群Ｇ３中の両凸正レンズＬ７の両面と、負メニスカスレンズＬ８の像側の面と、第４レンズ群Ｇ４中の正メニスカスレンズＬ９の物体側の面と、の８面に設けられている。
【０１１４】
次に、本発明の実施例４にかかるズームレンズ（結像光学系）について説明する。図７は本発明の実施例４にかかるズームレンズの無限遠物点合焦時の光学構成を示す光軸に沿う断面図であり、（ａ）は広角端、（ｂ）は中間焦点距離状態、（ｃ）は望遠端での断面図である。
【０１１５】
図８は実施例４にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【０１１６】
実施例４のズームレンズは、図７に示すように、物体側より順に、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４とを有している。
【０１１７】
第１レンズ群Ｇ１は、物体側に凸面を向けた負メニスカスレンズＬ１と物体側に凸面を向けた正メニスカスレンズＬ２と物体側に凸面を向けた正メニスカスレンズＬ３との接合レンズで構成されており、全体で正の屈折力を有している。
【０１１８】
第２レンズ群Ｇ２は、物体側に凸面を向けた負メニスカスレンズＬ４と、両凹負レンズＬ５と、物体側に凸面を向けた正メニスカスレンズＬ６と、で構成されており、全体で負の屈折力を有している。
【０１１９】
第３レンズ群Ｇ３は、両凸正レンズＬ７と、物体側に凸面を向けた負メニスカスレンズＬ８と、で構成されており、全体で正の屈折力を有している。
【０１２０】
第４レンズ群Ｇ４は、物体側に凸面を向けた正メニスカスレンズＬ９で構成されており、全体で正の屈折力を有している。
【０１２１】
広角端から望遠端へと変倍する際には、第１レンズ群Ｇ１は物体側へ移動し、第２レンズ群Ｇ２は物体側へ移動し、第３レンズ群Ｇ３は物体側へ移動し、第４レンズ群は物体側へ移動した後、像側へ移動する。
【０１２２】
非球面は、第１レンズ群Ｇ１中の正メニスカスレンズＬ３の両面、第２レンズ群Ｇ２中の両凹負レンズＬ５の両面と、第３レンズ群Ｇ３中の両凸正レンズＬ７の両面と、負メニスカスレンズＬ８の像側の面と、第４レンズ群Ｇ４中の正メニスカスレンズＬ９の物体側の面と、の８面に設けられている。
【０１２３】
次に、本発明の実施例５にかかるズームレンズ（結像光学系）について説明する。図９は本発明の実施例５にかかるズームレンズの無限遠物点合焦時の光学構成を示す光軸に沿う断面図であり、（ａ）は広角端、（ｂ）は中間焦点距離状態、（ｃ）は望遠端での断面図である。
【０１２４】
図１０は実施例５にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【０１２５】
実施例５のズームレンズは、図９に示すように、物体側より順に、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４とを有している。
【０１２６】
第１レンズ群Ｇ１は、物体側に凸面を向けた負メニスカスレンズＬ１と物体側に凸面を向けた正メニスカスレンズＬ２と物体側に凸面を向けた正メニスカスレンズＬ３との接合レンズで構成されており、全体で正の屈折力を有している。
【０１２７】
第２レンズ群Ｇ２は、物体側に凸面を向けた負メニスカスレンズＬ４と、両凹負レンズＬ５と、物体側に凸面を向けた正メニスカスレンズＬ６と、で構成されており、全体で負の屈折力を有している。
【０１２８】
第３レンズ群Ｇ３は、両凸正レンズＬ７と、物体側に凸面を向けた負メニスカスレンズＬ８と、で構成されており、全体で正の屈折力を有している。
【０１２９】
第４レンズ群Ｇ４は、物体側に凸面を向けた正メニスカスレンズＬ９で構成されており、全体で正の屈折力を有している。
【０１３０】
広角端から望遠端へと変倍する際には、第１レンズ群Ｇ１は物体側へ移動し、第２レンズ群Ｇ２は物体側へ移動し、第３レンズ群Ｇ３は物体側へ移動し、第４レンズ群は物体側へ移動した後、像側へ移動する。
【０１３１】
非球面は、第１レンズ群Ｇ１中の負メニスカスレンズＬ１の像側の面と、正メニスカスレンズＬ３の両面と、第２レンズ群Ｇ２中の両凹負レンズＬ５の両面と、第３レンズ群Ｇ３中の両凸正レンズＬ７の両面と、負メニスカスレンズＬ８の像側の面と、第４レンズ群Ｇ４中の正メニスカスレンズＬ９の物体側の面と、の９面に設けられている。
【０１３２】
次に、本発明の実施例６にかかるズームレンズ（結像光学系）について説明する。図１１は本発明の実施例６にかかるズームレンズの無限遠物点合焦時の光学構成を示す光軸に沿う断面図であり、（ａ）は広角端、（ｂ）は中間焦点距離状態、（ｃ）は望遠端での断面図である。
【０１３３】
図１２は実施例６にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【０１３４】
実施例６のズームレンズは、図１１に示すように、物体側より順に、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４とを有している。
【０１３５】
第１レンズ群Ｇ１は、物体側に凸面を向けた負メニスカスレンズＬ１と物体側に凸面を向けた正メニスカスレンズＬ２と物体側に凸面を向けた正メニスカスレンズＬ３との接合レンズで構成されており、全体で正の屈折力を有している。
【０１３６】
第２レンズ群Ｇ２は、物体側に凸面を向けた負メニスカスレンズＬ４と、両凹負レンズＬ５と、物体側に凸面を向けた正メニスカスレンズＬ６と、で構成されており、全体で負の屈折力を有している。
【０１３７】
第３レンズ群Ｇ３は、両凸正レンズＬ７と、物体側に凸面を向けた負メニスカスレンズＬ８と、で構成されており、全体で正の屈折力を有している。
【０１３８】
第４レンズ群Ｇ４は、物体側に凸面を向けた正メニスカスレンズＬ９で構成されており、全体で正の屈折力を有している。
【０１３９】
広角端から望遠端へと変倍する際には、第１レンズ群Ｇ１は物体側へ移動し、第２レンズ群Ｇ２は物体側へ移動し、第３レンズ群Ｇ３は物体側へ移動し、第４レンズ群は物体側へ移動した後、像側へ移動する。
【０１４０】
非球面は、第１レンズ群Ｇ１中の正メニスカスレンズＬ３の両面と、第２レンズ群Ｇ２中の両凹負レンズＬ５の両面と、第３レンズ群Ｇ３中の両凸正レンズＬ７の両面と、負メニスカスレンズＬ８の像側の面と、第４レンズ群Ｇ４中の正メニスカスレンズＬ９の物体側の面と、の８面に設けられている。
【０１４１】
次に、本発明の実施例７にかかるズームレンズ（結像光学系）について説明する。図１３は本発明の実施例７にかかるズームレンズの無限遠物点合焦時の光学構成を示す光軸に沿う断面図であり、（ａ）は広角端、（ｂ）は中間焦点距離状態、（ｃ）は望遠端での断面図である。
【０１４２】
図１４は実施例７にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【０１４３】
実施例７のズームレンズは、図１３に示すように、物体側より順に、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４とを有している。
【０１４４】
第１レンズ群Ｇ１は、物体側に凸面を向けた負メニスカスレンズＬ１と物体側に凸面を向けた正メニスカスレンズＬ２と物体側に凸面を向けた正メニスカスレンズＬ３との接合レンズで構成されており、全体で正の屈折力を有している。
【０１４５】
第２レンズ群Ｇ２は、物体側に凸面を向けた負メニスカスレンズＬ４と、両凹負レンズＬ５と、物体側に凸面を向けた正メニスカスレンズＬ６と、で構成されており、全体で負の屈折力を有している。
【０１４６】
第３レンズ群Ｇ３は、両凸正レンズＬ７と、物体側に凸面を向けた負メニスカスレンズＬ８と、で構成されており、全体で正の屈折力を有している。
【０１４７】
第４レンズ群Ｇ４は、物体側に凸面を向けた正メニスカスレンズＬ９で構成されており、全体で正の屈折力を有している。
【０１４８】
広角端から望遠端へと変倍する際には、第１レンズ群Ｇ１は物体側へ移動し、第２レンズ群Ｇ２は物体側へ移動し、第３レンズ群Ｇ３は物体側へ移動し、第４レンズ群は物体側へ移動した後、像側へ移動する。
【０１４９】
非球面は、第１レンズ群Ｇ１中の正メニスカスレンズＬ３の両面と、第２レンズ群Ｇ２中の両凹負レンズＬ５の両面と、第３レンズ群Ｇ３中の両凸正レンズＬ７の両面と、負メニスカスレンズＬ８の像側の面と、第４レンズ群Ｇ４中の正メニスカスレンズＬ９の物体側の面と、の８面に設けられている。
【０１５０】
次に、本発明の実施例８にかかるズームレンズ（結像光学系）について説明する。図１５は本発明の実施例８にかかるズームレンズの無限遠物点合焦時の光学構成を示す光軸に沿う断面図であり、（ａ）は広角端、（ｂ）は中間焦点距離状態、（ｃ）は望遠端での断面図である。
【０１５１】
図１６は実施例８にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【０１５２】
実施例８のズームレンズは、図１５に示すように、物体側より順に、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４とを有している。
【０１５３】
第１レンズ群Ｇ１は、物体側に凸面を向けた負メニスカスレンズＬ１と物体側に凸面を向けた正メニスカスレンズＬ２と物体側に凸面を向けた正メニスカスレンズＬ３との接合レンズで構成されており、全体で正の屈折力を有している。
【０１５４】
第２レンズ群Ｇ２は、物体側に凸面を向けた負メニスカスレンズＬ４と、両凹負レンズＬ５と、物体側に凸面を向けた正メニスカスレンズＬ６と、で構成されており、全体で負の屈折力を有している。
【０１５５】
第３レンズ群Ｇ３は、両凸正レンズＬ７と、物体側に凸面を向けた負メニスカスレンズＬ８と、で構成されており、全体で正の屈折力を有している。
【０１５６】
第４レンズ群Ｇ４は、物体側に凸面を向けた正メニスカスレンズＬ９で構成されており、全体で正の屈折力を有している。
【０１５７】
広角端から望遠端へと変倍する際には、第１レンズ群Ｇ１は物体側へ移動し、第２レンズ群Ｇ２は物体側へ移動し、第３レンズ群Ｇ３は物体側へ移動し、第４レンズ群は物体側へ移動した後、像側へ移動する。
【０１５８】
非球面は、第１レンズ群Ｇ１中の負メニスカスレンズＬ１の像側の面と、正メニスカスレンズＬ３の両面と、第２レンズ群Ｇ２中の両凹負レンズＬ５の両面と、第３レンズ群Ｇ３中の両凸正レンズＬ７の両面と、負メニスカスレンズＬ８の像側の面と、第４レンズ群Ｇ４中の正メニスカスレンズＬ９の物体側の面と、の９面に設けられている。
【０１５９】
次に、本発明の実施例９にかかるズームレンズ（結像光学系）について説明する。図１７は本発明の実施例９にかかるズームレンズの無限遠物点合焦時の光学構成を示す光軸に沿う断面図であり、（ａ）は広角端、（ｂ）は中間焦点距離状態、（ｃ）は望遠端での断面図である。
【０１６０】
図１８は実施例９にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【０１６１】
実施例９のズームレンズは、図１７に示すように、物体側より順に、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４とを有している。
【０１６２】
第１レンズ群Ｇ１は、物体側に凸面を向けた負メニスカスレンズＬ１と物体側に凸面を向けた正メニスカスレンズＬ２と物体側に凸面を向けた正メニスカスレンズＬ３との接合レンズで構成されており、全体で正の屈折力を有している。
【０１６３】
第２レンズ群Ｇ２は、物体側に凸面を向けた負メニスカスレンズＬ４と、両凹負レンズＬ５と、物体側に凸面を向けた正メニスカスレンズＬ６と、で構成されており、全体で負の屈折力を有している。
【０１６４】
第３レンズ群Ｇ３は、両凸正レンズＬ７と、物体側に凸面を向けた負メニスカスレンズＬ８と、で構成されており、全体で正の屈折力を有している。
【０１６５】
第４レンズ群Ｇ４は、物体側に凸面を向けた正メニスカスレンズＬ９で構成されており、全体で正の屈折力を有している。
【０１６６】
広角端から望遠端へと変倍する際には、第１レンズ群Ｇ１は物体側へ移動し、第２レンズ群Ｇ２は物体側へ移動し、第３レンズ群Ｇ３は物体側へ移動し、第４レンズ群は物体側へ移動した後、像側へ移動する。
【０１６７】
非球面は、第１レンズ群Ｇ１中の正メニスカスレンズＬ３の両面と、第２レンズ群Ｇ２中の両凹負レンズＬ５の両面と、第３レンズ群Ｇ３中の両凸正レンズＬ７の両面と、負メニスカスレンズＬ８の像側の面と、第４レンズ群Ｇ４中の正メニスカスレンズＬ９の物体側の面と、の８面に設けられている。
【０１６８】
次に、上記各実施例のズームレンズを構成する光学部材の数値データを掲げる。なお、各実施例の数値データにおいて、ｒ１、ｒ２、…は各レンズ面の曲率半径、ｄ１、ｄ２、…は各レンズの肉厚または空気間隔、ｎｄ１、ｎｄ２、…は各レンズのｄ線での屈折率、νｄ１、νｄ２、…は各レンズのアッべ数、Ｆｎｏ．はＦナンバー、ｆは全系焦点距離、Ｄ０は物体から第１面までの距離をそれぞれ表している。また、＊は非球面を示している。
【０１６９】
また、非球面形状は、光軸方向をｚ、光軸に直交する方向をｙにとり、円錐係数をＫ、非球面係数をＡ４、Ａ６、Ａ８、Ａ１０としたとき、次の式で表される。
ｚ＝（ｙ2／ｒ）／［１＋｛１−（１＋Ｋ）（ｙ／ｒ）2｝1/2］
＋Ａ４ｙ4＋Ａ６ｙ6＋Ａ８ｙ8＋Ａ１０ｙ10
また、Ｅは１０のべき乗を表している。なお、これら諸元値の記号は後述の実施例の数値データにおいても共通である。
【０１７０】
数値実施例１
単位  mm                  
面データ                   
面番号           r          d          nd        νd    ER
物面           ∞         ∞                      
1         15.0983     0.8000     1.92286    18.90   8.226 
2         10.8694     0.5500     1.63387    23.38   7.312 
3*        12.1434     3.3297     1.69350    53.21   7.214 
4*      3434.1874     可変                          6.500 
5        294.9005     0.7500     1.88300    40.76   5.287 
6          4.2780     2.3932                        3.500 
7*       -40.8657     0.6000     1.74320    49.34   3.589 
8*        11.3290     0.1000                        3.568 
9          8.1057     1.2896     1.94595    17.98   3.643 
10         23.2715     可変                          3.550 
11(絞り)      ∞      -0.3000                        2.073 
12*         3.8131     1.8486     1.45650    90.27   2.175 
13*        -9.5580     0.1000                        2.160 
14          4.9226     1.1000     2.10225    16.80   2.091 
15*         3.2167     可変                          1.763 
16*        11.0842     1.5702     1.45650    90.27   4.282 
17       1189.9791     可変                          4.267 
18            ∞       0.3000     1.51633    64.14   4.110 
19            ∞       0.5000                        4.110 
20            ∞       0.5000     1.51633    64.14   4.088 
21            ∞       0.565                         4.088 
像面           ∞                                 
非球面データ
第３面
K=0.000,A4=1.17931e-05  
第４面
K=0.000,A4=1.69041e-05,A6=7.41794e-09,A8=-1.12289e-09,A10=8.14927e-12
第７面
K=-210.654,A4=-1.06726e-04,A6=3.07542e-06,A8=1.51089e-06,A10=-7.45716e-08
第８面
K=-0.679,A4=1.09834e-06,A6=3.75292e-06,A8=9.07784e-08,A10=-6.63271e-08
第１２面
K=-0.206,A4=-1.09869e-03,A6=-3.35370e-05,A8=-5.61745e-06,A10=2.26288e-06
第１３面
K=-9.497,A4=3.72223e-04,A6=-2.84469e-05,A8=1.40847e-06,A10=3.19085e-06
第１５面
K=0.081,A4=-6.87102e-05,A6=8.18436e-05,A8=1.61531e-05,A10=-3.60629e-06
第１６面
K=0.000,A4=6.82641e-05,A6=2.68204e-06,A8=4.24074e-08
各種データ
ズーム比       9.919 
広角     中間      望遠
焦点距離       4.830    14.650    47.910
ＦＮＯ．       3.230     4.843     5.298
画角２ω      81.504    29.768     9.055
像高           3.830     3.830     3.830
BF            4.392     8.027     4.866
レンズ全長     34.253    41.031    46.727 
物点距離        ∞        ∞        ∞  
d4           0.248     5.406    13.277
d10         10.022     3.888     0.500
d15          5.459     9.580    13.952
d17          2.800     6.343     3.500
絞り径         2.073     2.073     2.073 
入射瞳位置      9.775    21.574    74.245
射出瞳位置    -10.210   -20.298   -40.720
前側主点位置    13.007    28.647    71.802
後側主点位置    -4.266   -13.994   -47.572
レンズ   始面     焦点距離
L1       1      -46.249     
L2       2      139.999     
L3       3       17.565     
L4       5       -4.922     
L5       7      -11.877     
L6       9       12.627     
L7      12        6.241     
L8      14      -12.722     
L9      16       24.499     
L10      18         ∞       
L11      20         ∞       
ズームレンズ群データ
群  始面   群焦点距離   群構成長  前側主点位置  後側主点位置
G1    1     25.150        4.680       -0.199      -2.913 
G2    5     -4.646        5.133        0.541      -3.227 
G3   11      8.094        2.749       -2.040      -2.827 
G4   16     24.499        1.570       -0.010      -1.088 
群倍率
広角      中間      望遠
G1       0.000     0.000     0.000
G2      -0.277    -0.399    -1.231
G3      -0.895    -2.325    -2.044
G4       0.776     0.628     0.757
【０１７１】
数値実施例２
単位  mm                  
面データ                   
面番号            r          d          nd        νd     ER 
物面           ∞         ∞                      
1         16.0826     0.8000     1.92286    18.90   8.274 
2         11.7359     0.4500     1.63387    23.38   7.420 
3*        12.5279     3.4125     1.69350    53.21   7.294 
4*      1275.3837     可変                          6.500 
5        170.0064     0.7500     1.88300    40.76   5.344 
6          4.4474     2.3602                        3.600 
7*       -39.8327     0.6000     1.74320    49.34   3.680 
8*        13.2170     0.1000                        3.618 
9          7.9913     1.2896     1.94595    17.98   3.679 
10         19.5384     可変                          3.550 
11(絞り)      ∞      -0.3000                        2.099 
12*         3.8738     1.8486     1.45650    90.27   2.191 
13*       -12.4941     0.1000                        2.165 
14          4.7299     1.1000     2.10225    16.80   2.100 
15*         3.2121     可変                          1.763 
16*        11.0451     1.5702     1.45650    90.27   4.181 
17        496.0788     可変                          4.400 
18            ∞       0.3000     1.51633    64.14   4.063 
19            ∞       0.5000                        4.057 
20            ∞       0.5000     1.51633    64.14   4.043 
21            ∞       0.500                         4.051 
像面           ∞                                 
非球面データ
第３面
K=0.000,A4=7.94216e-06
第４面
K=0.000,A4=1.44661e-05,A6=4.44758e-09,A8=-8.01168e-10,A10=6.71467e-12
第７面
K=-210.654,A4=1.73814e-04,A6=3.07542e-06,A8=1.51089e-06,A10=-7.45716e-08
第８面
K=-0.679,A4=3.64745e-04,A6=3.75292e-06,A8=9.07784e-08,A10=-6.63271e-08
第１２面
K=-0.206,A4=-7.53379e-04,A6=-3.35370e-05,A8=-5.61745e-06,A10=2.26288e-06
第１３面
K=-9.497,A4=3.72223e-04,A6=-2.84469e-05,A8=1.40847e-06,A10=3.19085e-06
第１５面
K=0.081,A4=6.00090e-04,A6=8.18436e-05,A8=1.61531e-05,A10=-3.60629e-06
第１６面
K=0.000,A4=6.59060e-05,A6=2.68204e-06,A8=4.24074e-08
各種データ
ズーム比       9.908 
広角     中間      望遠
焦点距離       4.836    14.651    47.915
ＦＮＯ．       3.230     4.718     4.967
画角２ω      80.779    29.701     9.048
像高           3.830     3.830     3.830
BF            4.333     8.686     4.993
レンズ全長     35.395    41.202    46.730 
物点距離        ∞        ∞        ∞  
d4           0.248     5.780    14.479
d10         11.068     4.119     0.500
d15          5.665     8.535    12.677
d17          2.800     7.159     3.500
絞り径         2.099     2.099     2.099 
入射瞳位置     10.015    22.259    80.511
射出瞳位置    -10.553   -17.087   -32.593
前側主点位置    13.280    28.581    67.343
後側主点位置    -4.330   -14.151   -47.450
レンズ   始面     焦点距離
L1       1      -51.611     
L2       2      239.973     
L3       3       18.224     
L4       5       -5.183     
L5       7      -13.289     
L6       9       13.558     
L7      12        6.715     
L8      14      -14.646     
L9      16       24.721     
L10      18         ∞       
L11      20         ∞       
ズームレンズ群データ
群  始面   群焦点距離   群構成長  前側主点位置  後側主点位置
G1    1     26.692        4.662       -0.225      -2.923 
G2    5     -4.980        5.100        0.539      -3.187 
G3   11      8.431        2.749       -2.138      -2.903 
G4   16     24.721        1.570       -0.025      -1.101 
群倍率
広角      中間      望遠
G1       0.000     0.000     0.000
G2      -0.277    -0.399    -1.320
G3      -0.840    -2.276    -1.804
G4       0.780     0.604     0.753
【０１７２】
数値実施例３
単位  mm                  
面データ                   
面番号         r          d          nd        νd    ER 
物面           ∞         ∞                      
1         14.6386     0.8000     1.94595    17.98   8.126 
2         10.6769     0.6000     1.63387    23.38   7.227 
3*        11.6730     3.1477     1.69350    53.21   7.152 
4*      1335.0365     可変                          6.500 
5        748.5511     0.7500     1.88300    40.76   5.189 
6          4.1942     2.3409                        3.369 
7*       -52.5094     0.6000     1.74320    49.34   3.535 
8*        11.3904     0.1000                        3.536 
9          8.7252     1.2896     1.94595    17.98   3.600 
10         28.0148     可変                          3.550 
11(絞り)      ∞      -0.3000                        2.086 
12*         3.7868     1.8486     1.45650    90.27   2.198 
13*       -11.0791     0.1000                        2.178 
14          4.6374     1.1000     2.10225    16.80   2.109 
15*         3.1111     可変                          1.763 
16*        11.2112     1.5702     1.45650    90.27   4.397 
17       1446.9138     可変                          4.400 
18            ∞       0.3000     1.51633    64.14   4.132 
19            ∞       0.5000                        4.119 
20            ∞       0.5000     1.51633    64.14   4.085 
21            ∞       0.485                         4.070 
像面           ∞                                 
非球面データ
第３面
K=0.000,A4=-4.93361e-05,
第４面
K=0.000,A4=1.07866e-05,A6=8.96694e-08,A8=-2.44681e-09,A10=2.50980e-11
第７面
K=-210.654,A4=-1.12025e-04,A6=3.07542e-06,A8=1.51089e-06,A10=-7.45716e-08
第８面
K=-0.679,A4=-3.24954e-04,A6=3.75292e-06,A8=9.07784e-08,A10=-6.63271e-08
第１２面
K=-0.206,A4=-8.95478e-04,A6=-3.81951e-05,A8=-5.61745e-06,A10=2.26288e-06
第１３面
K=-9.497,A4=3.72223e-04,A6=-2.84469e-05,A8=1.40847e-06,A10=3.19085e-06
第１５面
K=0.081,A4=4.33982e-04,A6=1.05672e-04,A8=1.75021e-05,A10=-3.60629e-06
第１６面
K=0.000,A4=1.52982e-04,A6=2.68204e-06,A8=,A10=4.24074e-08
各種データ
ズーム比       9.908 
広角     中間      望遠
焦点距離       4.836    14.650    47.910
ＦＮＯ．       3.230     4.614     5.454
画角２ω      81.748    29.770     9.195
像高           3.830     3.830     3.830
BF            4.313     7.294     4.977
レンズ全長     34.049    40.652    46.767 
物点距離        ∞        ∞        ∞  
d4           0.248     6.175    12.809
d10         10.016     4.197     0.500
d15          5.525     9.039    14.535
d17          2.800     5.741     3.500
絞り径         2.086     2.086     2.086 
入射瞳位置      9.592    24.650    70.006
射出瞳位置    -10.283   -18.495   -44.152
前側主点位置    12.826    30.978    71.194
後側主点位置    -4.350   -14.124   -47.461
レンズ   始面     焦点距離
L1       1      -46.246     
L2       2      160.011     
L3       3       16.964     
L4       5       -4.779     
L5       7      -12.544     
L6       9       12.974     
L7      12        6.433     
L8      14      -13.785     
L9      16       24.742     
L10      18         ∞       
L12      20         ∞       
ズームレンズ群データ
群  始面   群焦点距離   群構成長  前側主点位置  後側主点位置
G1    1     24.623        4.548       -0.231      -2.861 
G2    5     -4.616        5.080        0.488      -3.265 
G3   11      8.068        2.749       -2.094      -2.850 
G4   16     24.742        1.570       -0.008      -1.086 
群倍率
広角      中間      望遠
G1       0.000     0.000     0.000
G2      -0.281    -0.440    -1.199
G3      -0.893    -2.043    -2.149
G4       0.782     0.661     0.755
【０１７３】
数値実施例４
単位  mm                  
面データ                   
面番号         r          d          nd        νd    ER
物面           ∞         ∞                      
1         14.6144     0.8000     1.94595    17.98   8.026 
2         10.8345     0.6000     1.63387    23.38   7.169 
3*        11.8699     2.9617     1.69350    53.21   7.036 
4*      1550.2690     可変                          6.500 
5        407.1135     0.7500     1.88300    40.76   5.289 
6          4.3022     2.3288                        3.458 
7*       -39.9420     0.6000     1.74320    49.34   3.601 
8*        11.8340     0.1000                        3.591 
9          8.7555     1.2896     1.94595    17.98   3.652 
10         28.8153     可変                          3.550 
11(絞り)      ∞      -0.3000                        2.096 
12*         3.8419     1.8486     1.45650    90.27   2.198 
13*       -10.5663     0.1000                        2.176 
14          4.7517     1.1000     2.10225    16.80   2.102 
15*         3.1540     可変                          1.763 
16*        11.2385     1.5702     1.45650    90.27   4.387 
17       1445.1029     可変                          4.400 
18            ∞       0.3000     1.51633    64.14   4.129 
19            ∞       0.5000                        4.116 
20            ∞       0.5000     1.51633    64.14   4.083 
21            ∞       0.487                         4.073 
像面           ∞                                 
非球面データ
第３面
K=0.000,A4=1.79282e-04,A6=-3.79928e-06
第４面
K=0.000,A4=4.08669e-05,A6=-8.29226e-07,A8=8.03112e-09,A10=-3.08535e-11
第７面
K=-210.654,A4=-2.25142e-04,A6=3.07542e-06,A8=1.51089e-06,A10=-7.45716e-08
第８面
K=-0.679,A4=-2.12917e-04,A6=3.75292e-06,A8=9.07784e-08,A10=-6.63271e-08
第１２面
K=-0.206,A4=-1.16036e-03,A6=-1.21065e-05,A8=-5.61745e-06,A10=2.26288e-06
第１３面
K=-9.497,A4=3.72223e-04,A6=-2.84469e-05,A8=1.40847e-06,A10=3.19085e-06
第１５面
K=0.081,A4=-3.51617e-05,A6=1.10331e-04,A8=1.07663e-05,A10=-3.60629e-06
第１６面
K=0.000,A4=1.16671e-04,A6=2.68204e-06,A8=4.24074e-08
各種データ
ズーム比       9.908 
広角     中間      望遠
焦点距離       4.836    14.650    47.911
ＦＮＯ．       3.230     4.540     5.519
画角２ω      81.822    29.697     9.168
像高           3.830     3.830     3.830
BF            4.315     7.291     4.998
レンズ全長     34.441    40.516    46.740 
物点距離        ∞        ∞        ∞  
d4           0.248     6.218    12.481
d10         10.506     4.415     0.500
d15          5.624     8.843    15.012
d17          2.800     5.730     3.500
絞り径         2.096     2.096     2.096 
入射瞳位置      9.611    24.985    66.290
射出瞳位置    -10.468   -17.915   -47.752
前側主点位置    12.864    31.120    70.685
後側主点位置    -4.348   -14.116   -47.441
レンズ   始面     焦点距離
L1       1      -49.363     
L2       2      159.990     
L3       3       17.234     
L4       5       -4.929     
L5       7      -12.223     
L6       9       12.893     
L7      12        6.430     
L8      14      -13.319     
L9      16       24.803     
L10      18         ∞       
L11      20         ∞       
ズームレンズ群データ
群  始面   群焦点距離   群構成長  前側主点位置  後側主点位置
G1    1     24.322        4.362       -0.220      -2.741 
G2    5     -4.718        5.068        0.500      -3.243 
G3   11      8.240        2.749       -2.116      -2.875 
G4   16     24.803        1.570       -0.008      -1.086 
群倍率
広角      中間      望遠
G1       0.000     0.000     0.000
G2      -0.293    -0.465    -1.215
G3      -0.868    -1.956    -2.148
G4       0.782     0.662     0.755
【０１７４】
数値実施例５
単位  mm                  
面データ                   
面番号         r          d          nd        νd    ER 
物面           ∞         ∞                      
1         14.5197     0.8000     1.94595    17.98   8.129 
2*        10.7359     0.6000     1.63387    23.38   7.236 
3*        11.7470     3.1914     1.69350    53.21   7.148 
4*      1829.6540     可変                          6.500 
5        199.2213     0.7500     1.88300    40.76   4.966 
6          3.8397     2.1487                        3.093 
7*       -45.5839     0.6000     1.74320    49.34   3.000 
8*        12.7740     0.1000                        3.381 
9         10.2362     1.2896     1.94595    17.98   3.437 
10         58.3743     可変                          3.550 
11(絞り)      ∞      -0.3000                        2.096 
12*         3.9456     1.8486     1.45650    90.27   2.185 
13*        -9.6152     0.1000                        2.159 
14          5.1988     1.1000     2.10225    16.80   2.080 
15*         3.4694     可変                          1.763 
16*        11.0945     1.5702     1.45650    90.27   4.425 
17       3386.5614     可変                          4.400 
18            ∞       0.3000     1.51633    64.14   4.159 
19            ∞       0.5000                        4.159 
20            ∞       0.5000     1.51633    64.14   4.115 
21            ∞       0.406                         4.115 
像面           ∞                                 
非球面データ
第２面
K=0.000,A4=1.55845e-05,A6=-5.66319e-08
第３面
K=0.000,A4=-2.59071e-05
第４面
K=0.000,A4=5.54785e-06,A6=2.02921e-07,A8=-2.00915e-09,A10=4.78740e-12
第７面
K=-210.654,A4=-1.21601e-03,A6=3.07542e-06,A8=1.51089e-06,A10=-7.45716e-08
第８面
K=-0.679,A4=-1.54035e-03,A6=3.75292e-06,A8=9.07784e-08,A10=-6.63271e-08
第１２面
K=-0.206,A4=-6.57693e-04,A6=-2.03892e-05,A8=-5.61745e-06,A10=2.26288e-06
第１３面
K=-9.497,A4=3.72223e-04,A6=-2.84469e-05,A8=1.40847e-06,A10=3.19085e-06
第１５面
K=0.081,A4=3.50082e-04,A6=1.15620e-04,A8=2.18755e-05,A10=-3.60629e-06
第１６面
K=0.000,A4=8.89856e-05,A6=2.68204e-06,A8=4.24074e-08
各種データ
ズーム比       9.907 
広角     中間      望遠
焦点距離       4.836    14.652    47.915
ＦＮＯ．       3.230     4.502     5.470
画角２ω      81.359    29.580     9.101
像高           3.830     3.830     3.830
BF            4.233     7.478     4.306
レンズ全長     34.036    40.617    46.750 
物点距離        ∞        ∞        ∞  
d4           0.248     6.351    12.645
d10          9.773     4.011     0.500
d15          5.983     8.978    15.501
d17          2.800     5.824     2.885
絞り径         2.096     2.096     2.096 
入射瞳位置      9.354    25.223    69.717
射出瞳位置    -11.307   -18.615   -54.319
前側主点位置    12.685    31.648    78.470
後側主点位置    -4.431   -14.025   -47.522
レンズ   始面     焦点距離
L1       1      -48.540     
L2       2      159.956     
L3       3       17.036     
L4       5       -4.442     
L5       7      -13.367     
L6       9       12.953     
L7      12        6.402     
L8      14      -14.196     
L9      16       24.380     
L10      18         ∞       
L11      20         ∞       
ズームレンズ群データ
群  始面   群焦点距離   群構成長  前側主点位置  後側主点位置
G1    1     24.157        4.591       -0.217      -2.874 
G2    5     -4.535        4.888        0.366      -3.308 
G3   11      8.119        2.749       -1.859      -2.737 
G4   16     24.380        1.570       -0.004      -1.081 
群倍率
広角      中間      望遠
G1       0.000     0.000     0.000
G2      -0.281    -0.452    -1.214
G3      -0.911    -2.067    -2.098
G4       0.782     0.649     0.779
【０１７５】
数値実施例６
単位  mm                  
面データ                   
面番号         r          d          nd        νd    ER 
物面           ∞         ∞                      
1         14.7078     0.8000     1.94595    17.98   8.085 
2         10.6580     0.6000     1.63387    23.38   7.186 
3*        11.6497     3.0722     1.69350    53.21   7.120 
4*      1422.6400     可変                          6.500 
5        297.4089     0.7500     1.88300    40.76   5.238 
6          4.2117     2.4218                        3.376 
7*       -39.7619     0.6000     1.74320    49.34   3.547 
8*        11.6213     0.1000                        3.548 
9          8.7480     1.2896     1.94595    17.98   3.615 
10         30.2959     可変                          3.550 
11(絞り)      ∞      -0.3000                        2.080 
12*         3.8155     1.8486     1.45650    90.27   2.186 
13*       -10.1210     0.1000                        2.168 
14          4.8004     1.1000     2.10225    16.80   2.099 
15*         3.1672     可変                          1.763 
16*        11.1381     1.5702     1.45650    90.27   4.397 
17       3330.5764     可変                          4.400 
18            ∞       0.3000     1.51633    64.14   4.135 
19            ∞       0.5000                        4.135 
20            ∞       0.5000     1.51633    64.14   4.102 
21            ∞       0.484                         4.102 
像面           ∞                                 
非球面データ
第３面
K=0.000,A4=-5.99764e-05
第４面
K=0.000,A4=8.84943e-06,A6=8.77088e-08,A8=-1.97842e-09,A10=1.85258e-11
第７面
K=-210.654,A4=-2.62609e-04,A6=3.07542e-06,A8=1.51089e-06,A10=-7.45716e-08
第８面
K=-0.679,A4=-2.42403e-04,A6=3.75292e-06,A8=9.07784e-08,A10=-6.63271e-08
第１２面
K=-0.206,A4=-1.09091e-03,A6=-1.87003e-05,A8=-5.61745e-06,A10=2.26288e-06
第１３面
K=-9.497,A4=3.72223e-04,A6=-2.84469e-05,A8=1.40847e-06,A10=3.19085e-06
第１５面
K=0.081,A4=1.82908e-04,A6=2.30143e-05,A8=3.11600e-05,A10=-3.60629e-06
第１６面
K=0.000,A4=1.28607e-04,A6=2.68204e-06,A8=4.24074e-08
各種データ
ズーム比       9.901 
広角     中間      望遠
焦点距離       4.839    14.650    47.910
ＦＮＯ．       3.230     4.581     5.444
画角２ω      81.614    29.651     9.121
像高           3.830     3.830     3.830
BF            4.545     7.361     4.490
レンズ全長     33.991    40.734    46.731 
物点距離        ∞        ∞        ∞  
d4           0.248     6.393    13.035
d10          9.916     4.155     0.500
d15          5.331     8.872    14.754
d17          3.084     5.776     2.978
絞り径         2.080     2.080     2.080 
入射瞳位置      9.523    25.256    71.680
射出瞳位置     -9.969   -18.166   -46.810
前側主点位置    12.749    31.498    74.845
後側主点位置    -4.406   -14.092   -47.426
レンズ   始面     焦点距離
L1       1      -45.266     
L2       2      159.977     
L3       3       16.922     
L4       5       -4.844     
L5       7      -12.040     
L6       9       12.635     
L7      12        6.333     
L8      14      -13.057     
L9      16       24.477     
L10      18         ∞       
L11      20         ∞       
ズームレンズ群データ
群  始面   群焦点距離   群構成長  前側主点位置  後側主点位置
G1    1     24.818        4.472       -0.231      -2.816 
G2    5     -4.657        5.161        0.491      -3.352 
G3   11      8.137        2.749       -2.081      -2.850 
G4   16     24.477        1.570       -0.004      -1.082 
群倍率
広角      中間      望遠
G1       0.000     0.000     0.000
G2      -0.280    -0.445    -1.219
G3      -0.903    -2.024    -2.050
G4       0.770     0.655     0.772
【０１７６】
数値実施例７
単位  mm                  
面データ                   
面番号         r          d          nd        νd    ER
物面           ∞         ∞                      
1         14.6642     0.8000     1.94595    17.98   8.137 
2         10.6800     0.6000     1.63387    23.38   7.237 
3*        11.6770     3.1686     1.69350    53.21   7.143 
4*      1347.7185     可変                          6.500 
5        362.1185     0.7500     1.88300    40.76   5.260 
6          4.2272     2.4018                        3.402 
7*       -46.8839     0.6000     1.74320    49.34   3.571 
8*        11.4555     0.1000                        3.571 
9          8.7456     1.2896     1.94595    17.98   3.637 
10         27.9802     可変                          3.550 
11(絞り)      ∞      -0.3000                        2.094 
12*         3.7982     1.8486     1.45650    90.27   2.201 
13*       -10.9452     0.1000                        2.178 
14          4.6824     1.1000     2.10225    16.80   2.108 
15*         3.1299     可変                          1.763 
16*        11.1339     1.5702     1.45650    90.27   4.376 
17       1805.4685     可変                          4.400 
18            ∞       0.3000     1.51633    64.14   4.127 
19            ∞       0.5000                        4.114 
20            ∞       0.5000     1.51633    64.14   4.082 
21            ∞       0.443                         4.063 
像面           ∞                                 
非球面データ
第３面
K=0.000,A4=-3.45595e-05
第４面
K=0.000,A4=1.25106e-05,A6=6.58008e-08,A8=-2.08900e-09,A10=2.11407e-11
第７面
K=-210.654,A4=-1.68311e-04,A6=3.07542e-06,A8=1.51089e-06,A10=-7.45716e-08
第８面
K=-0.679,A4=-2.88240e-04,A6=3.75292e-06,A8=9.07784e-08,A10=-6.63271e-08
第１２面
K=-0.206,A4=-9.55038e-04,A6=-3.13344e-05,A8=-5.61745e-06,A10=2.26288e-06
第１３面
K=-9.497,A4=3.72223e-04,A6=-2.84469e-05,A8=1.40847e-06,A10=3.19085e-06
第１５面
K=0.081,A4=3.45391e-04,A6=9.75897e-05,A8=1.79381e-05,A10=-3.60629e-06
第１６面
K=0.000,A4=1.29613e-04,A6=2.68204e-06,A8=4.24074e-08
各種データ
ズーム比       9.910 
広角     中間      望遠
焦点距離       4.834    14.650    47.910
ＦＮＯ．       3.230     4.562     5.384
画角２ω      81.425    29.686     9.161
像高           3.830     3.830     3.830
BF            4.270     7.392     4.965
レンズ全長     34.315    40.778    46.760 
物点距離        ∞        ∞        ∞  
d4           0.248     6.293    12.880
d10         10.128     4.229     0.500
d15          5.640     8.835    14.386
d17          2.800     5.791     3.500
絞り径         2.094     2.094     2.094 
入射瞳位置      9.682    25.264    71.253
射出瞳位置    -10.536   -18.016   -43.687
前側主点位置    12.938    31.466    71.984
後側主点位置    -4.392   -14.076   -47.472
レンズ   始面     焦点距離
L1       1      -46.050     
L2       2      159.981     
L3       3       16.969     
L4       5       -4.849     
L5       7      -12.333     
L6       9       13.024     
L7      12        6.430     
L8      14      -13.627     
L9      16       24.534     
L10      18         ∞       
L11      20         ∞       
ズームレンズ群データ
群  始面   群焦点距離   群構成長  前側主点位置  後側主点位置
G1    1     24.685        4.569       -0.232      -2.874 
G2    5     -4.628        5.141        0.510      -3.293 
G3   11      8.120        2.749       -2.100      -2.858 
G4   16     24.534        1.570       -0.007      -1.084 
群倍率
広角      中間      望遠
G1       0.000     0.000     0.000
G2      -0.282    -0.446    -1.220
G3      -0.889    -2.034    -2.111
G4       0.782     0.654     0.753
【０１７７】
数値実施例８
単位  mm                  
面データ                   
面番号         r          d          nd        νd    ER
物面           ∞         ∞                      
1         14.8030     0.8000     1.94595    17.98   8.144 
2*        10.8313     0.6000     1.63387    23.38   7.242 
3*        11.8660     3.1875     1.69350    53.21   7.162 
4*      1239.2277     可変                          6.500 
5        301.4761     0.7500     1.88300    40.76   5.292 
6          4.2629     2.4056                        3.431 
7*       -43.1844     0.6000     1.74320    49.34   3.587 
8*        11.7576     0.1000                        3.572 
9          8.7365     1.2896     1.94595    17.98   3.632 
10         27.9064     可変                          3.550 
11(絞り)      ∞      -0.3000                        2.077 
12*         3.7847     1.8486     1.45650    90.27   2.187 
13*       -11.0006     0.1000                        2.169 
14          4.7151     1.1000     2.10225    16.80   2.103 
15*         3.1461     可変                          1.763 
16*        11.0533     1.5702     1.45650    90.27   4.363 
17       1546.1884     可変                          4.400 
18            ∞       0.3000     1.51633    64.14   4.136 
19            ∞       0.5000                        4.123 
20            ∞       0.5000     1.51633    64.14   4.089 
21            ∞       0.482                         4.073 
像面           ∞                                 
非球面データ
第２面
K=0.000,A4=9.85840e-06,A6=7.62206e-08,A8=-5.17542e-11
第３面
K=0.000,A4=-3.06277e-05
第４面
K=0.000,A4=5.57710e-06,A6=6.98142e-08,A8=-1.39376e-09,A10=1.70036e-11
第７面
K=-210.654,A4=-1.42552e-04,A6=3.07542e-06,A8=1.51089e-06,A10=-7.45716e-08
第８面
K=-0.679,A4=-1.86046e-04,A6=3.75292e-06,A8=9.07784e-08,A10=-6.63271e-08
第１２面
K=-0.206,A4=-9.92630e-04,A6=-2.90833e-05,A8=-5.61745e-06,A10=2.26288e-06
第１３面
K=-9.497,A4=3.72223e-04,A6=-2.84469e-05,A8=1.40847e-06,A10=3.19085e-06
第１５面
K=0.081,A4=3.92713e-04,A6=8.37259e-05,A8=2.17878e-05,A10=-3.60629e-06
第１６面
K=0.000,A4=1.23393e-04,A6=2.68204e-06,A8=4.24074e-08
各種データ
ズーム比       9.911 
広角     中間      望遠
焦点距離       4.834    14.650    47.910
ＦＮＯ．       3.230     4.605     5.451
画角２ω      81.134    29.679     9.113
像高           3.830     3.830     3.830
BF            4.277     7.315     4.438
レンズ全長     34.275    40.691    46.715 
物点距離        ∞        ∞        ∞  
d4           0.248     6.184    12.942
d10         10.155     4.159     0.500
d15          5.544     8.981    14.783
d17          2.800     5.734     2.928
絞り径         2.077     2.077     2.077 
入射瞳位置      9.740    24.712    70.884
射出瞳位置    -10.375   -18.515   -47.351
前側主点位置    12.979    31.053    74.472
後側主点位置    -4.385   -14.097   -47.428
レンズ   始面     焦点距離
L1       1      -47.308     
L2       2      159.972     
L3       3       17.257     
L4       5       -4.903     
L5       7      -12.377     
L6       9       13.019     
L7      12        6.420     
L8      14      -13.563     
L9      16       24.380     
L10      18         ∞       
L11      20         ∞       
ズームレンズ群データ
群  始面   群焦点距離   群構成長  前側主点位置  後側主点位置
G1    1     24.888        4.587       -0.234      -2.887 
G2    5     -4.692        5.145        0.507      -3.305 
G3   11      8.129        2.749       -2.101      -2.860 
G4   16     24.380        1.570       -0.008      -1.085 
群倍率
広角      中間      望遠
G1       0.000     0.000     0.000
G2      -0.283    -0.442    -1.215
G3      -0.879    -2.033    -2.048
G4       0.780     0.655     0.773
【０１７８】
数値実施例９
単位  mm                  
面データ                   
面番号         r          d          nd        νd    ER
物面           ∞         ∞                      
1         12.8240     0.8000     1.94595    17.98   8.066 
2         10.6537     0.6000     1.63387    23.38   7.320 
3*        11.6481     3.2092     1.49700    81.54   7.177 
4*     53673.2484     可変                          6.500 
5         50.4110     0.7500     1.88300    40.76   5.328 
6          4.1301     2.7243                        3.487 
7*       -46.1397     0.6000     1.74320    49.34   3.407 
8*        17.6596     0.1000                        3.628 
9         10.9976     1.2896     1.94595    17.98   3.664 
10         33.7377     可変                          3.550 
11(絞り)      ∞      -0.3000                        2.133 
12*         3.8227     1.8486     1.45650    90.27   2.244 
13*       -12.5034     0.1000                        2.203 
14          4.6982     1.1000     2.10225    16.80   2.117 
15*         3.2163     可変                          1.763 
16*        18.8194     1.5702     1.45650    90.27   4.059 
17      48945.0859     可変                          4.400 
18            ∞       0.3000     1.51633    64.14   4.052 
19            ∞       0.5000                        4.052 
20            ∞       0.5000     1.51633    64.14   4.050 
21            ∞       0.522                         4.050 
像面           ∞                                 
非球面データ
第３面
K=0.000,A4=2.85162e-06
第４面
K=0.000,A4=3.28559e-05,A6=1.55273e-08,A8=-9.84943e-10,A10=9.63167e-12
第７面
K=-210.654,A4=-7.25729e-04,A6=3.07542e-06,A8=1.51089e-06,A10=-7.45716e-08
第８面
K=-0.679,A4=-8.43466e-04,A6=3.75292e-06,A8=9.07784e-08,A10=-6.63271e-08
第１２面
K=-0.206,A4=-4.18286e-04,A6=-4.22134e-05,A8=-5.61745e-06,A10=2.26288e-06
第１３面
K=-9.497,A4=3.72223e-04,A6=-2.84469e-05,A8=1.40847e-06,A10=3.19085e-06
第１５面
K=0.081,A4=1.11391e-03,A6=1.24502e-04,A8=3.59501e-05,A10=-3.60629e-06
第１６面
K=0.000,A4=3.97958e-04,A6=2.68204e-06,A8=4.24074e-08
各種データ
ズーム比       9.896 
広角     中間      望遠
焦点距離       4.841    14.647    47.906
ＦＮＯ．       3.230     4.851     5.645
画角２ω      82.117    30.384     9.500
像高           3.830     3.830     3.830
BF            4.198     7.271     5.169
レンズ全長     35.302    40.979    48.915 
物点距離        ∞        ∞        ∞  
d4           0.248     6.211    15.002
d10         11.162     4.287     0.500
d15          5.303     8.819    13.851
d17          2.800     5.721     3.500
絞り径         2.133     2.133     2.133 
入射瞳位置     10.467    23.808    77.511
射出瞳位置     -8.796   -14.310   -24.775
前側主点位置    13.505    28.514    48.775
後側主点位置    -4.471   -14.125   -47.264
レンズ   始面     焦点距離
L1       1      -81.076     
L2       2      159.536     
L3       3       23.441     
L4       5       -5.134     
L5       7      -17.116     
L6       9       16.786     
L7      12        6.649     
L8      14      -15.145     
L9      16       41.241     
L10      18         ∞       
L11      20         ∞       
ズームレンズ群データ
群  始面   群焦点距離   群構成長  前側主点位置  後側主点位置
G1    1     29.280        4.609       -0.623      -3.520 
G2    5     -5.129        5.464        0.462      -3.718 
G3   11      8.174        2.749       -2.056      -2.841 
G4   16     41.241        1.570       -0.000      -1.078 
群倍率
広角      中間      望遠
G1       0.000     0.000     0.000
G2      -0.257    -0.367    -0.992
G3      -0.736    -1.707    -1.943
G4       0.872     0.798     0.849
【０１７９】
次に、各実施例における条件式の値を掲げる。
（１）  ΔD12／（（ΣD1＋ΣD2）×γ×ｔａｎω）
（２）  ΔＶ2／ΔＶ1
（３）  ΔＶＬ／ｆｗ
（４）  ｜（Ｐ0−Ｐh）／Ｐ0｜
（５）  ＳＦ３
（６）  ＳＦＬ
（７）  ｆ1T1／ｆ1
（８）  θgFT1
実施例                                 条件式
（１）  （２）  （３）  （４）  （５）  （６）  （７）  （８）
1                 0.155  -0.026   0.145  0.0153   4.771  -1.019   5.567  0.668
2                 0.173  -0.251   0.145  0.0113   5.232  -1.046   8.990  0.668
3                 0.152   0.015   0.145  0.0613   5.077  -1.016   6.499  0.668
4                 0.151   0.007   0.145  0.1398   4.948  -1.016   6.578  0.668
5                 0.154   0.026   0.018  0.0319   5.012  -1.007   6.622  0.668
6                 0.155  -0.008  -0.022  0.0748   4.879  -1.007   6.446  0.668
7                 0.153  -0.015   0.145  0.0423   5.032  -1.012   6.481  0.695
8                 0.154  -0.023   0.027  0.0390   5.010  -1.014   6.428  0.722
9                 0.170  -0.106   0.145  0.0033   5.341  -1.001   6.428  0.668
【０１８０】
さて、以上のような本発明の結像光学系は、物体の像をＣＣＤやＣＭＯＳなどの電子撮像素子で撮影する撮影装置、とりわけデジタルカメラやビデオカメラ、情報処理装置の例であるパソコン、電話、携帯端末、特に持ち運びに便利な携帯電話等に用いることができる。以下に、その実施形態を例示する。
【０１８１】
図１９〜図２１に本発明による結像光学系をデジタルカメラの撮影光学系４１に組み込んだ構成の概念図を示す。図１９はデジタルカメラ４０の外観を示す前方斜視図、図２０は同後方斜視図、図２１はデジタルカメラ４０の光学構成を示す断面図である。
【０１８２】
デジタルカメラ４０は、この例の場合、撮影用光路４２を有する撮影光学系４１、ファインダー用光路４４を有するファインダー光学系４３、シャッター４５、フラッシュ４６、液晶表示モニター４７等を含む。そして、撮影者が、カメラ４０の上部に配置されたシャッター４５を押圧すると、それに連動して撮影光学系４１、例えば実施例１のズームレンズ４８を通して撮影が行われる。
【０１８３】
撮影光学系４１によって形成された物体像は、ＣＣＤ４９の撮像面上に形成される。このＣＣＤ４９で受光された物体像は、画像処理手段５１を介し、電子画像としてカメラ背面に設けられた液晶表示モニター４７に表示される。また、この画像処理手段５１にはメモリ等が配置され、撮影された電子画像を記録することもできる。なお、このメモリは画像処理手段５１と別体に設けてもよいし、フレキシブルディスクやメモリーカード、ＭＯ等により電子的に記録書込を行うように構成してもよい。
【０１８４】
さらに、ファインダー用光路４４上には、ファインダー用対物光学系５３が配置されている。このファインダー用対物光学系５３は、カバーレンズ５４、第１プリズム１０、開口絞り２、第２プリズム２０、フォーカス用レンズ６６からなる。このファインダー用対物光学系５３によって、結像面６７上に物体像が形成される。この物体像は、像正立部材であるポロプリズム５５の視野枠５７上に形成される。このポロプリズム５５の後方には、正立正像にされた像を観察者眼球Eに導く接眼光学系５９が配置されている。
【０１８５】
このように構成されたデジタルカメラ４０によれば、撮影光学系４１の構成枚数を少なくした小型化・薄型化のズームレンズを有する電子撮像装置が実現できる。なお、本発明は、上述した沈胴式のデジタルカメラに限られず、屈曲光学系を採用する折り曲げ式のデジタルカメラにも適用できる。
【０１８６】
次に、本発明の結像光学系が対物光学系として内蔵された情報処理装置の一例であるパソコンを図２２〜図２４に示す。図２２はパソコン３００のカバーを開いた状態の前方斜視図、図２３はパソコン３００の撮影光学系３０３の断面図、図２４は図１４の側面図である。図２２〜図２４に示されるように、パソコン３００は、キーボード３０１と、情報処理手段や記録手段と、モニター３０２と、撮影光学系３０３とを有している。
【０１８７】
ここで、キーボード３０１は、外部から操作者が情報を入力するためのものである。情報処理手段や記録手段は、図示を省略している。モニター３０２は、情報を操作者に表示するためのものである。撮影光学系３０３は、操作者自身や周辺の像を撮影するためのものである。モニター３０２は、液晶表示素子やＣＲＴディスプレイ等であってよい。液晶表示素子としては、図示しないバックライトにより背面から照明する透過型液晶表示素子や、前面からの光を反射して表示する反射型液晶表示素子がある。また、図中、撮影光学系３０３は、モニター３０２の右上に内蔵されているが、その場所に限らず、モニター３０２の周囲や、キーボード３０１の周囲のどこであってもよい。
【０１８８】
この撮影光学系３０３は、撮影光路３０４上に、例えば実施例１のズームレンズからなる対物光学系１００と、像を受光する電子撮像素子チップ１６２とを有している。これらはパソコン３００に内蔵されている。
【０１８９】
鏡枠の先端には、対物光学系１００を保護するためのカバーガラス１０２が配置されている。
電子撮像素子チップ１６２で受光された物体像は、端子１６６を介して、パソコン３００の処理手段に入力される。そして、最終的に、物体像は電子画像としてモニター３０２に表示される。図２２には、その一例として、操作者が撮影した画像３０５が示されている。また、この画像３０５は、処理手段を介し、遠隔地から通信相手のパソコンに表示されることも可能である。遠隔地への画像伝達は、インターネットや電話を利用する。
【０１９０】
次に、本発明の結像光学系が撮影光学系として内蔵された情報処理装置の一例である電話、特に持ち運びに便利な携帯電話を図２５に示す。図２５（a）は携帯電話４００の正面図、図２５（b）は側面図、図２５（c）は撮影光学系４０５の断面図である。図２５（a）〜（c）に示されるように、携帯電話４００は、マイク部４０１と、スピーカ部４０２と、入力ダイアル４０３と、モニター４０４と、撮影光学系４０５と、アンテナ４０６と、処理手段とを有している。
【０１９１】
ここで、マイク部４０１は、操作者の声を情報として入力するためのものである。スピーカ部４０２は、通話相手の声を出力するためのものである。入力ダイアル４０３は、操作者が情報を入力するためのものである。モニター４０４は、操作者自身や通話相手等の撮影像や、電話番号等の情報を表示するためのものである。アンテナ４０６は、通信電波の送信と受信を行うためのものである。処理手段（不図示）は、画像情報や通信情報、入力信号等の処理を行ためのものである。
【０１９２】
ここで、モニター４０４は液晶表示素子である。また、図中、各構成の配置位置は、特にこれらに限られない。この撮影光学系４０５は、撮影光路４０７上に配された対物光学系１００と、物体像を受光する電子撮像素子チップ１６２とを有している。対物光学系１００としては、例えば実施例１のズームレンズが用いられる。これらは、携帯電話４００に内蔵されている。
【０１９３】
鏡枠の先端には、対物光学系１００を保護するためのカバーガラス１０２が配置されている。
電子撮影素子チップ１６２で受光された物体像は、端子１６６を介して、図示していない画像処理手段に入力される。そして、最終的に物体像は、電子画像としてモニター４０４に、又は、通信相手のモニターに、又は、両方に表示される。また、処理手段には信号処理機能が含まれている。通信相手に画像を送信する場合、この機能により、電子撮像素子チップ１６２で受光された物体像の情報を、送信可能な信号へと変換する。
【０１９４】
なお、本発明は、その趣旨を逸脱しない範囲で様々な変形例をとることができる。
【０１９５】
以上説明したように、本発明によれば、第１レンズ群が負レンズ１枚と正レンズ２枚の３枚のレンズが互いに接合された１つのレンズ成分のみからなる。これにより、第１レンズ群で発生する色収差を抑えつつ、第１レンズ群を薄く出来る。
また、第１レンズ群と第２レンズ群との間隔の広角端から望遠端までの変動量が、第１レンズ群と第２レンズ群のレンズ群の厚さに対して小さい。このため、非点収差やコマ収差を良好に補正しつつ、望遠端での光学系全長を短くすることができる。
また、上述の変動量は変倍比に対しても小さい。このため、高変倍比のズーム光学系においても望遠端での光学系全長を短くすることができる。
また、上述の変動量は最大画角に対しても小さい。このため、最大画角の大きな光学系においても、光学系全長を短くすることができる。
以上述べたように、本発明の結像光学系によれば、色収差を悪化させることなく、光学系全長および沈胴厚を短くできる。
【産業上の利用可能性】
【０１９６】
以上のように、本発明は、結像光学系の高変倍率化、薄型化、及び、高性能化、並びに、電子撮像装置の薄型化に有用である。
【符号の説明】
【０１９７】
Ｇ１          第１レンズ群
Ｇ２          第２レンズ群
Ｇ３          第３レンズ群
Ｇ４          第４レンズ群
Ｇ５          第５レンズ群
Ｌ１〜Ｌ９        各レンズ
Ｆ、ＬＰＦ        ローパスフィルタ
Ｃ、ＣＧ          カバーガラス
Ｉ            撮像面
Ｅ            観察者の眼球
４０          デジタルカメラ
４１          撮影光学系
４２          撮影用光路
４３          ファインダー光学系
４４          ファインダー用光路
４５          シャッター
４６          フラッシュ
４７          液晶表示モニター
４８          ズームレンズ
４９          ＣＣＤ
５０          撮像面
５１          処理手段
５３          ファインダー用対物光学系
５５          ポロプリズム
５７          視野枠
５９          接眼光学系
６６          フォーカス用レンズ
６７          結像面
１００        対物光学系
１０２        カバーガラス
１６２        電子撮像素子チップ
１６６        端子
３００        パソコン
３０１        キーボード
３０２        モニター
３０３        撮影光学系
３０４        撮影光路
３０５        画像
４００        携帯電話
４０１        マイク部
４０２        スピーカ部
４０３        入力ダイアル
４０４        モニター
４０５        撮影光学系
４０６        アンテナ
４０７        撮影光路
【図１】
0005501736.tif 000002
【図２】
0005501736.tif 000003
【図３】
0005501736.tif 000004
【図４】
0005501736.tif 000005
【図５】
0005501736.tif 000006
【図６】
0005501736.tif 000007
【図７】
0005501736.tif 000008
【図８】
0005501736.tif 000009
【図９】
0005501736.tif 000010
【図１０】
0005501736.tif 000011
【図１１】
0005501736.tif 000012
【図１２】
0005501736.tif 000013
【図１３】
0005501736.tif 000014
【図１４】
0005501736.tif 000015
【図１５】
0005501736.tif 000016
【図１６】
0005501736.tif 000017
【図１７】
0005501736.tif 000018
【図１８】
0005501736.tif 000019
【図１９】
0005501736.tif 000020
【図２０】
0005501736.tif 000021
【図２１】
0005501736.tif 000022
【図２２】
0005501736.tif 000023
【図２３】
0005501736.tif 000024
【図２４】
0005501736.tif 000025
【図２５】
0005501736.tif 000026